(57)【要約】  本願の実施形態は、無線周波数チャネルとアンテナとの間の接続モードを検出することにより現場での二次的な構築の難しさを低減して構築効率を改善すべく、無線周波数チャネル接続検出方法および無線周波数チャネル接続検出装置を開示する。本願の実施形態における方法は、第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階と、各検出対象無線周波数チャネルを用いることにより受信される信号に基づいて、Ｎ個の検出対象無線周波数チャネルとＮ個のアンテナとの間の接続関係を判断する段階とを含む。
2021508969.tif 000002
【特許請求の範囲】
【請求項１】
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する段階であって、Ｎは、２よりも大きいかまたはそれに等しい整数である、受信する段階と、
各検出対象無線周波数チャネルを用いることにより受信される前記信号に基づいて、前記Ｎ個の検出対象無線周波数チャネルとＮ個のアンテナとの間の接続関係を判断する段階であって、前記Ｎ個の検出対象無線周波数チャネルのうちのいずれか１つと、前記Ｎ個の基準無線周波数チャネルのうちの１つとが、コンバイナ装置を用いることにより前記Ｎ個のアンテナのうちの１つに接続され、前記検出対象無線周波数チャネルは、異なる基準無線周波数チャネルおよび異なるアンテナに接続される、判断する段階と
を備える無線周波数チャネル接続検出方法。
【請求項２】
各検出対象無線周波数チャネルを用いることにより受信される前記信号に基づいて、前記Ｎ個の検出対象無線周波数チャネルとＮ個のアンテナとの間の接続関係を判断する前記段階は、
各検出対象無線周波数チャネルを用いることにより受信される前記信号に基づいて、前記Ｎ個の検出対象無線周波数チャネルのうちの少なくとも１つと前記Ｎ個の基準無線周波数チャネルのうちの少なくとも１つとの間の接続関係を判断する段階と、
前記Ｎ個の検出対象無線周波数チャネルのうちの前記少なくとも１つと前記Ｎ個の基準無線周波数チャネルのうちの前記少なくとも１つとの間の前記接続関係に基づいて、前記Ｎ個の検出対象無線周波数チャネルと前記Ｎ個のアンテナとの間の前記接続関係を判断する段階と
を有する、請求項１に記載の方法。
【請求項３】
前記Ｎ個の基準無線周波数チャネルを用いることにより信号を順次送信する段階
をさらに備え、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する前記段階は、
前記第１の無線周波数ユニットが、前記Ｎ個の検出対象無線周波数チャネルのうちの各々を用いることにより、前記Ｎ個の基準無線周波数チャネルを用いることにより送信される前記信号を順次受信する段階
を有する、
請求項１または２に記載の方法。
【請求項４】
各検出対象無線周波数チャネルを用いることにより受信される前記信号に基づいて、前記Ｎ個の検出対象無線周波数チャネルとＮ個のアンテナとの間の接続関係を判断する前記段階は、
前記基準無線周波数チャネルを用いることにより送信され、各検出対象無線周波数チャネルを用いることにより受信される信号の信号強度に基づいて、前記Ｎ個の検出対象無線周波数チャネルのうちの１つと前記Ｎ個の基準無線周波数チャネルのうちの１つとの間の接続関係を判断する段階であって、受信される信号が最も強い信号強度を有する検出対象無線周波数チャネルが、前記基準無線周波数チャネルに接続され、前記検出対象無線周波数チャネルは、前記基準無線周波数チャネルに接続されたアンテナに接続される、判断する段階
を有する、
請求項３に記載の方法。
【請求項５】
前記Ｎ個の基準無線周波数チャネルを用いることにより信号を同時に送信する段階であって、前記Ｎ個の基準無線周波数チャネルのうちのいずれか１つを用いることにより送信される信号の特徴が、前記Ｎ個の基準無線周波数チャネルのうちの別の１つを用いることにより送信される信号の特徴とは異なる、送信する段階
をさらに備え、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する前記段階は、
前記第１の無線周波数ユニットが、前記Ｎ個の検出対象無線周波数チャネルのうちの各々を用いることにより、前記Ｎ個の基準無線周波数チャネルを用いることにより同時に送信される前記信号を受信する段階
を有する、
請求項１または２に記載の方法。
【請求項６】
各検出対象無線周波数チャネルを用いることにより受信される前記信号に基づいて、前記Ｎ個の検出対象無線周波数チャネルとＮ個のアンテナとの間の接続関係を判断する前記段階は、
各検出対象無線周波数チャネルを用いることにより受信される前記信号のうち同じ特徴を有する信号の信号強度に基づいて、前記Ｎ個の検出対象無線周波数チャネルのうちの１つと前記Ｎ個の基準無線周波数チャネルのうちの１つとの間の接続関係を判断する段階であって、検出対象無線周波数チャネルであって、前記検出対象無線周波数チャネルを用いることにより、前記同じ特徴を有する前記信号のうち最も強い信号強度を有する信号が受信される、検出対象無線周波数チャネルが、前記基準無線周波数チャネルに接続され、前記検出対象無線周波数チャネルは、前記基準無線周波数チャネルに接続されたアンテナに接続される、判断する段階
を有する、
請求項５に記載の方法。
【請求項７】
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する前記段階の後に、
前記第１の無線周波数ユニットが、各検出対象無線周波数チャネルを用いることにより受信される前記信号を、前記第１の無線周波数ユニットに接続されたベースバンドユニットへ送信する段階
をさらに備え、
各検出対象無線周波数チャネルを用いることにより受信される前記信号に基づいて、前記Ｎ個の検出対象無線周波数チャネルとＮ個のアンテナとの間の接続関係を判断する前記段階は、
前記ベースバンドユニットが、各検出対象無線周波数チャネルを用いることにより受信される前記信号に基づいて、前記Ｎ個の検出対象無線周波数チャネルと前記Ｎ個のアンテナとの間の前記接続関係を判断する段階
を有する、
請求項１から６のいずれか一項に記載の方法。
【請求項８】
前記基準無線周波数ユニットは、アクティブ無線周波数ユニットであり、前記第１の無線周波数ユニットは、パッシブ無線周波数ユニットであり、または、
前記基準無線周波数ユニットおよび前記第１の無線周波数ユニットの両方がパッシブ無線周波数ユニットである、
請求項１から７のいずれか一項に記載の方法。
【請求項９】
前記基準無線周波数ユニットと前記第１の無線周波数ユニットとは、同じベースバンドユニットに接続される、
請求項１から８のいずれか一項に記載の方法。
【請求項１０】
第１の無線周波数ユニットであって、Ｎ個の検出対象無線周波数チャネルを有し、前記Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、前記検出対象無線周波数チャネルは、異なる基準無線周波数チャネルおよび異なるアンテナに接続され、Ｎは、２よりも大きいかまたはそれに等しい整数であり、前記Ｎ個の検出対象無線周波数チャネルのうちの各々は、前記Ｎ個の基準無線周波数チャネルのうちの少なくとも１つを用いることにより送信される信号を受信するように構成される、第１の無線周波数ユニット
を備え、
プロセッサであって、前記Ｎ個の検出対象無線周波数チャネルに接続され、各検出対象無線周波数チャネルを用いることにより受信される前記信号に基づいて、前記Ｎ個の検出対象無線周波数チャネルと前記Ｎ個のアンテナとの間の接続関係を判断するように構成される、プロセッサ
をさらに備える無線周波数チャネル接続検出装置。
【請求項１１】
前記プロセッサはさらに、
各検出対象無線周波数チャネルを用いることにより受信される前記信号に基づいて、前記Ｎ個の検出対象無線周波数チャネルのうちの少なくとも１つと前記Ｎ個の基準無線周波数チャネルのうちの少なくとも１つとの間の接続関係を判断し、
前記Ｎ個の検出対象無線周波数チャネルのうちの前記少なくとも１つと前記Ｎ個の基準無線周波数チャネルのうちの前記少なくとも１つとの間の前記接続関係に基づいて、前記Ｎ個の検出対象無線周波数チャネルと前記Ｎ個のアンテナとの間の前記接続関係を判断する
ように構成される、
請求項１０に記載の無線周波数チャネル接続検出装置。
【請求項１２】
基準無線周波数ユニットであって、前記Ｎ個の基準無線周波数チャネルを有し、
前記Ｎ個の基準無線周波数チャネルは、信号を順次送信するように構成され、
前記Ｎ個の検出対象無線周波数チャネルのうちの各々はさらに、前記Ｎ個の基準無線周波数チャネルを用いることにより送信される前記信号を順次受信するように構成される、
基準無線周波数ユニット
をさらに備える、請求項１０または１１に記載の無線周波数チャネル接続検出装置。
【請求項１３】
前記プロセッサは、具体的には、
前記基準無線周波数チャネルを用いることにより送信され、各検出対象無線周波数チャネルを用いることにより受信される信号の信号強度に基づいて、前記Ｎ個の検出対象無線周波数チャネルのうちの１つと前記Ｎ個の基準無線周波数チャネルのうちの１つとの間の接続関係を判断するように構成され、
受信される信号が最も強い信号強度を有する検出対象無線周波数チャネルが、前記基準無線周波数チャネルに接続され、前記検出対象無線周波数チャネルは、前記基準無線周波数チャネルに接続されたアンテナに接続される、
請求項１２に記載の無線周波数チャネル接続検出装置。
【請求項１４】
基準無線周波数ユニットであって、前記Ｎ個の基準無線周波数チャネルを有し、
前記Ｎ個の基準無線周波数チャネルは、信号を同時に送信するように構成され、前記Ｎ個の基準無線周波数チャネルのうちのいずれか１つを用いることにより送信される信号の特徴が、前記Ｎ個の基準無線周波数チャネルのうちの別の１つを用いることにより送信される信号の特徴とは異なり、
前記Ｎ個の検出対象無線周波数チャネルのうちの各々は、具体的には、前記Ｎ個の基準無線周波数チャネルを用いることにより同時に送信される前記信号を受信するように構成される、
基準無線周波数ユニット
をさらに備える、請求項１０または１１に記載の無線周波数チャネル接続検出装置。
【請求項１５】
前記プロセッサは、具体的には、
各検出対象無線周波数チャネルを用いることにより受信される前記信号のうち同じ特徴を有する信号の信号強度に基づいて、前記Ｎ個の検出対象無線周波数チャネルのうちの１つと前記Ｎ個の基準無線周波数チャネルのうちの１つとの間の接続関係を判断するように構成され、
検出対象無線周波数チャネルであって、前記検出対象無線周波数チャネルを用いることにより、前記同じ特徴を有する前記信号のうち最も強い信号強度を有する信号が受信される、検出対象無線周波数チャネルが、前記基準無線周波数チャネルに接続され、前記検出対象無線周波数チャネルは、前記基準無線周波数チャネルに接続されたアンテナに接続される、
請求項１４に記載の無線周波数チャネル接続検出装置。
【請求項１６】
ベースバンドユニットをさらに備え、
前記ベースバンドユニットは、前記プロセッサと、メモリと、通信インタフェースとを有し、前記ベースバンドユニットは、前記通信インタフェースを用いることにより前記Ｎ個の検出対象無線周波数チャネルに接続され、前記メモリは、前記プロセッサに結合され、前記プロセッサにより実行されるプログラムおよび／または命令を格納するように構成され、
前記通信インタフェースは、各検出対象無線周波数チャネルにより送信される信号を受信するように構成され、
各検出対象無線周波数チャネルはさらに、受信された前記信号を前記ベースバンドユニットへ送信するように構成される、
請求項１０から１５のいずれか一項に記載の無線周波数チャネル接続検出装置。
【請求項１７】
前記第１の無線周波数ユニットは、パッシブ無線周波数ユニットである、請求項１０から１６のいずれか一項に記載の無線周波数チャネル接続検出装置。
【請求項１８】
前記基準無線周波数ユニットは、アクティブ無線周波数ユニットまたはパッシブ無線周波数ユニットである、請求項１４に記載の無線周波数チャネル接続検出装置。
【請求項１９】
前記Ｎ個の基準無線周波数チャネルと、前記Ｎ個の検出対象無線周波数チャネルとが、同じベースバンドユニットに接続される、請求項１０から１８のいずれか一項に記載の無線周波数チャネル接続検出装置。
【発明の詳細な説明】
【技術分野】
【０００１】
本願は、アンテナ技術分野に関し、特に、無線周波数チャネル接続検出方法および無線周波数チャネル接続検出装置に関する。
【背景技術】
【０００２】
既存の無線通信ネットワークでは、アクティブアンテナユニット（ａｃｔｉｖｅ  ａｎｔｅｎｎａ  ｕｎｉｔ、ＡＡＵ）が通常、複数の共通アンテナを置き換えて場所の選択および特性の調整における難しさを低減するために用いられる。加えて、７０％の空間が節約される場合に３０％から７０％の容量利得を取得するために、クラスタケーブル設計が用いられる。ＡＡＵは、アンテナユニット（ａｎｔｅｎｎａ  ｕｎｉｔ、ＡＵ）およびアクティブ無線周波数ユニット（ｒａｄｉｏ  ｕｎｉｔ、ＲＵ）を含む。アクティブ無線周波数ユニットは、アクティブモジュールとも称されてよく、アンテナユニットは、アンテナモジュールとも称されてよい。アンテナユニットのポートの数は、より多くの無線周波数モジュールに接続すべく内部統合コンバイナを用いることにより拡張され得る。例えば、増えたポートが、アクティブ無線周波数ユニットに接続するように構成されたアクティブポートと、例えば遠隔無線ユニット（ｒｅｍｏｔｅ  ｒａｄｉｏ  ｕｎｉｔ、ＲＲＵ）といったパッシブ無線ユニットに接続するように構成されたパッシブポートとを含み得る。特定の構造が図１および図２に示される。複数のアンテナが用いられる場合、異なる無線周波数チャネル上の信号の振幅および位相が調節される。アクティブＲＵの無線周波数チャネルとアンテナユニットにおける各アンテナとの間の接続関係およびパッシブＲＵの無線周波数チャネルとアンテナユニットにおける各アンテナとの間の接続関係が判断される必要がある。言い換えると、アクティブＲＵの無線周波数チャネルとパッシブＲＵの無線周波数チャネルとの間の対応関係も判断される必要がある。実際のオペレーションでは、ＡＡＵのアクティブＲＵとＡＡＵのアンテナポートとの間の接続関係が、生成中に確立され得る。従って、当該接続関係は、判断され、正しい補正される。しかしながら、パッシブＲＵ（例えば、ＲＲＵ）の無線周波数チャネルがパッシブポートに接続される場合には通常、手動操作が必要とされる。この場合、無線周波数チャネルおよびアンテナユニットは、間違って接続され得る。パッシブＲＵ（ＲＲＵ）とアンテナユニットとの間のケーブルが間違ったシーケンスで接続されている場合、ビームフォーミングは、不正確であるか、または間違ってさえいる。結果的に、図３に示されるように、ネットワークのカバレッジが変わり、ネットワークの性能が低下する。
【０００３】
パッシブＲＵ（ＲＲＵ）とアクティブアンテナユニットＡＡＵのアンテナユニットＡＵとの間のケーブルが間違ったシーケンスで接続されており、接続シーケンスが補正される必要がある場合、間違って接続されているケーブルをメンテナンス人員が迅速に判断できず、構築効率が保証され得ない。
【発明の概要】
【０００４】
本願の実施形態は、無線周波数チャネルとアンテナとの間の接続モードを検出することにより現場での二次的な構築の難しさが低減されるを低減して構築効率を改善すべく、無線周波数チャネル接続検出方法および無線周波数チャネル接続検出装置を提供する。
【０００５】
本願の第１の態様は、無線周波数チャネル接続検出方法を提供する。
方法は、
Ｎ個の検出対象無線周波数チャネルのうちの各々を用いることにより、Ｎ個の基準無線周波数チャネルのうちの少なくとも１つを用いることにより送信される信号を受信する段階であって、Ｎは、２よりも大きいかまたはそれに等しい整数である、受信する段階と、
各検出対象無線周波数チャネルを用いることにより受信される信号に基づいて、Ｎ個の検出対象無線周波数チャネルとＮ個のアンテナとの間の接続関係を判断する段階であって、Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、検出対象無線周波数チャネルは、異なる基準無線周波数チャネルおよび異なるアンテナに接続される、判断する段階と
を含む。任意選択で、Ｎ個の検出対象無線周波数チャネルは、第１の無線周波数ユニットに属する。任意選択で、Ｎ個の基準無線周波数チャネルは、基準無線周波数ユニットに属する。任意選択で、Ｎ個の検出対象無線周波数チャネルとＮ個のアンテナとの間の接続関係を判断する段階は、第１の無線周波数ユニットにより実行されてもよく、別の装置またはデバイス、例えば、Ｎ個の検出対象無線周波数チャネルに接続されたベースバンドユニットにより実行されてもよい。本願の本実施形態において、検出対象無線周波数チャネルとアンテナとの間の接続関係が間違っており、二次的な構築が実行される必要がある場合、現場での二次的な構築の難しさを低減して構築効率を改善するために、接続関係の構成中に存在する誤差が自動的に検出され得る。
【０００６】
本願の実施形態の第１の態様の第１の実装において、各検出対象無線周波数チャネルを用いることにより受信される信号に基づいて、Ｎ個の検出対象無線周波数チャネルとＮ個のアンテナとの間の接続関係を判断する段階は、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する段階と、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する段階と
を含む。
【０００７】
本願の実施形態の第１の態様の第２の実装の可能な設計において、方法は、
Ｎ個の基準無線周波数チャネルを用いることにより信号を順次送信する段階
をさらに含み、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階は、
第１の無線周波数ユニットが、Ｎ個の検出対象無線周波数チャネルのうちの各々を用いることにより、Ｎ個の基準無線周波数チャネルを用いることにより送信される信号を順次受信する段階
を含む。いくつかのシナリオでは、異なる基準無線周波数チャネルを用いることにより信号が順次送信される検出方式で、信号を送信する回数を低減できる。例えば、Ｎ個の検出対象無線周波数チャネルとＮ個のアンテナとの間の接続関係は、Ｎ個またはＮ−１個の基準無線周波数チャネルを用いることにより当該信号が送信された後にのみ、判断され得る。Ｎ個の検出対象無線周波数チャネルのうちのいくつかが正しく接続されていると判断された場合、正しく接続されている検出対象無線周波数チャネルのいくつかに対して信号を送信するために、いくつかの基準無線周波数チャネルがさらに選択され得る。加えて、別個の基準無線周波数チャネル上で信号を送信することで信号間の干渉を低減でき、これにより、検出対象無線周波数チャネル上での信号の強度がより正確に判断される。
【０００８】
可能な設計において、本願の実施形態の第１の態様の第３の実装では、各検出対象無線周波数チャネルを用いることにより受信される信号に基づいて、Ｎ個の検出対象無線周波数チャネルとＮ個のアンテナとの間の接続関係を判断する段階は、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断する段階であって、受信される信号が最も強い信号強度を有する検出対象無線周波数チャネルが、基準無線周波数チャネルに接続され、検出対象無線周波数チャネルは、基準無線周波数チャネルに接続されたアンテナに接続される、判断する段階
を含む。信号強度に基づいて無線周波数チャネルの間の接続関係が判断される場合、信号処理プロセスが簡略化され、検出方法は、より単純になり、実装がより容易になる。
【０００９】
可能な設計において、本願の実施形態の第１の態様の第４の実装では、方法は、
Ｎ個の基準無線周波数チャネルを用いることにより信号を同時に送信する段階であって、Ｎ個の基準無線周波数チャネルのうちのいずれか１つを用いることにより送信される信号の特徴が、Ｎ個の基準無線周波数チャネルのうちの別の１つを用いることにより送信される信号の特徴とは異なる、送信する段階
をさらに含み、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階は、
第１の無線周波数ユニットが、Ｎ個の検出対象無線周波数チャネルのうちの各々を用いることにより、Ｎ個の基準無線周波数チャネルを用いることにより同時に送信される信号を受信する段階
を含む。Ｎ個の基準無線周波数チャネルを用いることにより信号が同時に送信される場合、抽出に必要とされる時間を短縮でき、検出効率を改善できる。
【００１０】
可能な設計において、本願の実施形態の第１の態様の第５の実装では、各検出対象無線周波数チャネルを用いることにより受信される信号に基づいて、Ｎ個の検出対象無線周波数チャネルとＮ個のアンテナとの間の接続関係を判断する段階は、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断する段階であって、検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される、判断する段階
を含む。
【００１１】
可能な設計において、本願の実施形態の第１の態様の第６の実装では、第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階の後に、方法は、
第１の無線周波数ユニットが、各検出対象無線周波数チャネルを用いることにより受信される信号を、第１の無線周波数ユニットに接続されたベースバンドユニットへ送信する段階
をさらに含み、
各検出対象無線周波数チャネルを用いることにより受信される信号に基づいて、Ｎ個の検出対象無線周波数チャネルとＮ個のアンテナとの間の接続関係を判断する段階は、
ベースバンドユニットが、各検出対象無線周波数チャネルを用いることにより受信される信号に基づいて、Ｎ個の検出対象無線周波数チャネルとＮ個のアンテナとの間の接続関係を判断する段階
を含む。
【００１２】
可能な設計において、本願の実施形態の第１の態様の第７の実現形態では、基準無線周波数ユニットは、アクティブ無線周波数ユニットであり、第１の無線周波数ユニットは、パッシブ無線周波数ユニットであり、または、
基準無線周波数ユニットおよび第１の無線周波数ユニットの両方がパッシブ無線周波数ユニットである。本願の実施形態は、任意のタイプの無線周波数ユニットが組み合わされて同じアンテナユニットに接続されるシナリオに適用され得る。
【００１３】
可能な設計において、本願の実施形態の第１の態様の第８の実装形態では、基準無線周波数ユニットおよび第１の無線周波数ユニットは、同じベースバンドユニットに接続される。基準無線周波数ユニットおよび第１の無線周波数ユニットが同じベースバンドユニットに接続される場合、ベースバンドユニットは、基準無線周波数チャネル上での信号の送信と、検出対象無線周波数チャネル上での信号の受信と、検出対象無線周波数チャネルとアンテナとの間の接続関係とを簡便に制御し得る。当然ながら、基準無線周波数ユニットおよび第１の無線周波数ユニットも異なるベースバンドユニットに接続され得る。この場合、ベースバンドユニットは、検出対象無線周波数チャネルとアンテナとの間の接続関係を検出するために、互いに通信して信号送信シーケンスおよび信号受信結果などのメッセージを転送する必要がある。
【００１４】
本願の第２の態様は、Ｎ個の検出対象無線周波数チャネルを含む無線周波数チャネル接続検出装置を提供する。
Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、
検出対象無線周波数チャネルは、異なる基準無線周波数チャネルおよび異なるアンテナに接続され、Ｎは、２よりも大きいかまたはそれに等しい整数であり、Ｎ個の検出対象無線周波数チャネルのうちの各々は、Ｎ個の基準無線周波数チャネルのうちの少なくとも１つを用いることにより送信される信号を受信するように構成され、
無線周波数チャネル接続検出装置は、プロセッサであって、Ｎ個の検出対象無線周波数チャネルに接続され、各検出対象無線周波数チャネルを用いることにより受信される信号に基づいて、Ｎ個の検出対象無線周波数チャネルとＮ個のアンテナとの間の接続関係を判断するように構成される、プロセッサをさらに含む。任意選択で、無線周波数チャネル接続検出装置は、第１の無線周波数ユニットを含み、Ｎ個の検出対象無線周波数チャネルは、第１の無線周波数ユニットに属する。プロセッサは、第１の無線周波数ユニット内に配置されてもよく、独立したコンポーネントまたはモジュールとしてデプロイされてもよく、無線周波数チャネルとアンテナとの間の接続関係を検出するように構成された別のコンポーネントまたは装置内にデプロイされてもよく、例えば、特別に無線周波数チャネルへの接続を検出するように構成されたツールデバイス内にデプロイされてもよく、Ｎ個の検出対象無線周波数チャネルに接続されたベースバンドユニット内にデプロイされてもよい。本願の本実施形態において、検出対象無線周波数チャネルとアンテナとの間の接続関係が間違っており、二次的な構築が実行される必要がある場合、現場での二次的な構築の難しさを低減して構築効率を改善するために、接続関係においての構成中に存在する誤差が自動的に検出され得る。
【００１５】
可能な設計において、本願の実施形態の第２の態様の第１の実装では、プロセッサはさらに、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断し、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する
ように構成される。
【００１６】
可能な設計において、本願の実施形態の第２の態様の第２の実装では、無線周波数チャネル接続検出装置は、Ｎ個の基準無線周波数チャネルをさらに含み、Ｎ個の基準無線周波数チャネルは、信号を順次送信するように構成され、Ｎ個の検出対象無線周波数チャネルのうちの各々はさらに、Ｎ個の基準無線周波数チャネルを用いることにより送信される信号を順次受信するように構成される。任意選択で、無線周波数チャネル接続検出装置は、基準無線周波数ユニットを含み、Ｎ個の基準無線周波数チャネルは、基準無線周波数ユニットに属する。
【００１７】
可能な設計において、本願の実施形態の第２の態様の第３の実装では、プロセッサは、具体的には、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断するように構成され、受信される信号が最も強い信号強度を有する検出対象無線周波数チャネルが、基準無線周波数チャネルに接続され、検出対象無線周波数チャネルは、基準無線周波数チャネルに接続されたアンテナに接続される。
【００１８】
可能な設計において、本願の実施形態の第２の態様の第４の実装では、無線周波数チャネル接続検出装置は、Ｎ個の基準無線周波数チャネルを有し、
Ｎ個の基準無線周波数チャネルは、信号を同時に送信するように構成され、Ｎ個の基準無線周波数チャネルのうちのいずれか１つを用いることにより送信される信号の特徴が、Ｎ個の基準無線周波数チャネルのうちの別の１つを用いることにより送信される信号の特徴とは異なり、
Ｎ個の検出対象無線周波数チャネルのうちの各々は、具体的には、Ｎ個の基準無線周波数チャネルを用いることにより同時に送信される信号を受信するように構成される、
基準無線周波数ユニット
をさらに含む。任意選択で、無線周波数チャネル接続検出装置は、基準無線周波数ユニットを含み、Ｎ個の基準無線周波数チャネルは、基準無線周波数ユニットに属する。
【００１９】
可能な設計において、本願の実施形態の第２の態様の第５の実装では、プロセッサは、具体的には、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断するように構成され、
検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される。
【００２０】
可能な設計において、本願の実施形態の第２の態様の第６の実装では、無線周波数チャネル接続検出装置は、ベースバンドユニットをさらに含み、
ベースバンドユニットは、プロセッサと、メモリと、通信インタフェースとを含み、ベースバンドユニットは、通信インタフェースを用いることによりＮ個の検出対象無線周波数チャネルに接続され、メモリは、プロセッサに結合され、プロセッサにより実行されるプログラムおよび／または命令を格納するように構成され、
通信インタフェースは、各検出対象無線周波数チャネルにより送信される信号を受信するように構成され、
各検出対象無線周波数チャネルはさらに、受信された信号をベースバンドユニットへ送信するように構成される。
【００２１】
可能な設計において、本願の実施形態の第２の態様の第７の実現形態では、第１の無線周波数ユニットは、パッシブ無線周波数ユニットである。
【００２２】
可能な設計において、本願の実施形態の第２の態様の第８の実装形態では、基準無線周波数ユニットは、アクティブ無線周波数ユニットまたはパッシブ無線周波数ユニットである。
【００２３】
可能な設計において、本願の実施形態の第２の態様の第９の実装では、Ｎ個の基準無線周波数チャネルと、Ｎ個の検出対象無線周波数チャネルとは、同じベースバンドユニットに接続される。
【００２４】
本願の第３の態様は、コンピュータ可読記憶媒体を提供する。コンピュータ可読記憶媒体は、命令を格納する。命令がコンピュータ上で実行された場合、コンピュータは、前述の態様による方法を実行するように構成される。
【００２５】
本願の第４の態様は、命令を含むコンピュータプログラム製品を提供する。コンピュータプログラム製品がコンピュータ上で実行された場合、コンピュータは、前述の態様による方法を実行するように構成される。
【００２６】
本願の実施形態において提供される技術的解決手段では、Ｎ個の基準無線周波数チャネルのうちの少なくとも１つを用いることにより送信される１または複数の信号は、Ｎ個の検出対象無線周波数チャネルのうちの各々を用いることにより受信され、Ｎは、２よりも大きいかまたはそれに等しい整数であり、Ｎ個の検出対象無線周波数チャネルとＮ個のアンテナとの間の接続関係は、各検出対象無線周波数チャネルを用いることにより受信される信号に基づいて判断され、Ｎ個の検出対象無線周波数チャネルのうちのいずれか１つと、Ｎ個の基準無線周波数チャネルのうちの１つとは、コンバイナ装置を用いることによりＮ個のアンテナのうちの１つに接続され、検出対象無線周波数チャネルは、異なる基準無線周波数チャネルおよび異なるアンテナに接続される。本願の実施形態において、無線周波数チャネルとアンテナとの間の接続関係が間違っており、二次的な構築が実行される必要がある場合、現場での二次的な構築の難しさを低減して構築効率を改善するために、接続関係においての構成中に存在する誤差が自動的に検出され得る。
【図面の簡単な説明】
【００２７】
【図１】本願の実施形態によるアクティブアンテナユニットとパッシブ無線周波数ユニットとの間の接続の概略図である。
【００２８】
【図２】本願の実施形態によるアクティブアンテナユニットとパッシブ無線周波数ユニットとの間の接続の概略図である。
【００２９】
【図３】本願の実施形態によるビームカバレッジ範囲の変化の概略図である。
【００３０】
【図４】本願の実施形態による無線周波数チャネル接続検出方法の適用シナリオの概略図である。
【００３１】
【図５】本願の実施形態による異なる無線周波数チャネルを用いることにより異なる周波数帯域の信号が別々に処理される概略図である。
【００３２】
【図６】本願の実施形態による無線周波数チャネル接続検出方法の概略図である。
【００３３】
【図７】本願の実施形態による基準無線周波数チャネルと検出対象無線周波数チャネルとの接続の概略図である。
【００３４】
【図８】本願の実施形態による基準無線周波数チャネルと検出対象無線周波数チャネルとの別の接続の概略図である。
【００３５】
【図９】本願の実施形態による別の無線周波数チャネル接続検出方法の概略図である。
【００３６】
【図１０】本願の実施形態による基準無線周波数チャネルと検出対象無線周波数チャネルとの別の接続の概略図である。
【００３７】
【図１１】本願の実施形態による基準無線周波数チャネルと検出対象無線周波数チャネルとの別の接続の概略図である。
【００３８】
【図１２】本願の実施形態による無線周波数チャネル接続検出装置の概略図である。
【００３９】
【図１３】本願の実施形態による別の無線周波数チャネル接続検出装置の概略図である。
【００４０】
【図１４】本願の実施形態による別の無線周波数チャネル接続検出装置の概略図である。
【００４１】
【図１５】本願の実施形態によるベースバンドユニットの概略構造図である。
【発明を実施するための形態】
【００４２】
本願の実施形態は、無線周波数チャネルとアンテナとの間の接続モードを検出することにより現場での二次的な構築の難しさを低減して構築効率を改善すべく、無線周波数チャネル接続検出方法および無線周波数チャネル接続検出装置を提供する。
【００４３】
以下では、本願の実施形態における添付図面を参照して、本願の実施形態を説明する。
【００４４】
本願の明細書、特許請求の範囲および添付図面において、「第１の」という用語、「第２の」という用語、「第３の」という用語、「第４の」という用語等（存在する場合）は、同様の対象を区別するよう意図されているが、必ずしも特定の順序またはシーケンスを示していない。本明細書において説明する実施形態が、本明細書において例示または説明する内容以外の順序で実装され得るように、そのような態様で称されるデータは適切な状況において交換可能であることを理解されたい。加えて、「含む」という用語、「有する」という用語およびあらゆる他の変形は、非排他的な包含を含むことを意味し、例えば、段階またはユニットの列挙を含むプロセス、方法、システム、製品またはデバイスは、明確に列挙される段階またはユニットに必ずしも限定されるわけではないが、明示的に列挙されない、またはそのようなプロセス、方法、製品もしくはデバイスに固有の他の段階またはユニットを含み得る。
【００４５】
本願の実施形態は、図４に示される適用シナリオに適用され得る。この適用シナリオでは、アンテナユニット（ａｎｔｅｎｎａ  ｕｎｉｔ、ＡＵ）が、１または複数の無線周波数ユニットＲＵに接続される。アンテナユニットは、Ｎ個のアンテナを含み、Ｎは、２よりも大きいかまたはそれに等しい整数である。コンバイナを用いることにより、複数の無線周波数ユニットが、アンテナユニットのアンテナに別々に接続される。１つの無線周波数ユニットとアンテナユニットのアンテナとの間の接続関係が正しい場合、別の無線周波数ユニットとアンテナユニットのアンテナとの間の接続関係が正しいかどうかは、当該無線周波数ユニットについての接続関係に基づいて判断され得る。例えば、図４に示されるように、アンテナユニットは、第１の無線周波数ユニットおよび第２の無線周波数ユニットという２つの無線周波数ユニットに接続される。第１の無線周波数ユニットの各無線周波数チャネルが、アンテナユニットにおける各アンテナに接続され、第２の無線周波数ユニットの各無線周波数チャネルが、アンテナユニットにおける各アンテナに接続される。第１の無線周波数ユニットは、基準無線周波数ユニットであってよく、第２の無線周波数ユニットは、検出対象無線周波数ユニットであってよい。
【００４６】
異なる無線周波数ユニットが異なる周波数帯域の信号を処理し得ることに留意されたい。例えば、図５に示されるように、コンバイナが、第１の無線周波数チャネルグループおよび第２の無線周波数チャネルグループの両方に接続される。第１の無線周波数チャネルグループおよび第２の無線周波数チャネルグループは、異なる無線周波数ユニットに別々に属し得る。第１の無線周波数チャネルグループを含む第１の無線周波数ユニットが、１７１０ＭＨｚから１８８０ＭＨｚという周波数帯域の信号を処理してよく、第２の無線周波数チャネルグループを含む第２の無線周波数ユニットが、１９２０ＭＨｚから２６００ＭＨｚという周波数帯域の信号を処理してよく、これら２つの無線周波数ユニットに接続されたアンテナが、１７１０ＭＨｚから２６００ＭＨｚという周波数帯域の信号を受信してよい。第１の無線周波数チャネルグループが基準無線周波数チャネルであり、第２の無線周波数チャネルグループが検出対象無線周波数チャネルである場合、すなわち、基準無線周波数チャネルを用いることにより処理される無線周波数信号の周波数帯域が、検出対象無線周波数チャネルを用いることにより処理される無線周波数信号の周波数帯域とは異なる場合、本願の実施形態において提供される検出解決手段が用いられるときは、検出対象無線周波数チャネルおよび基準無線周波数チャネルを用いることにより処理されるこれらの周波数帯域は、同じになるように構成される必要がある。例えば、第２の無線周波数チャネルグループ（すなわち、検出対象無線周波数チャネル）を用いることにより処理される周波数帯域は、第１の無線周波数チャネルグループによりサポートされる周波数帯域（すなわち、基準無線周波数チャネル）、すなわち、１７１０ＭＨｚから１８８０ＭＨｚという周波数帯域と同じになるように設定される。具体的には、検出対象無線周波数ユニットは、パッシブ無線周波数ユニットであってよく、基準無線周波数ユニットは、パッシブ無線周波数ユニットまたはアクティブ無線周波数ユニットであってよい。図１および図２に示される適用シナリオでは、アクティブ無線周波数ユニットが基準無線周波数ユニットとして用いられてよく、外部無線周波数ユニットが検出対象無線周波数ユニットであってよい。外部無線周波数ユニットは、遠隔無線ユニットＲＲＵであってよい。
【００４７】
代替的に、接続関係が検出される必要がある無線周波数チャネルが、異なる検出対象無線周波数ユニットからもたらされてよく、基準無線周波数チャネルは、異なる無線周波数ユニットからもたらされてよいことが、理解され得る。この場合、本願の実施形態において提供される検出方法は、異なる無線周波数ユニットの間で情報を交換することにより、または、異なる無線周波数ユニットに接続された少なくとも１つのベースバンドユニットの制御を通じて、用いられ得る。説明を簡潔にするために、本願の実施形態では、全ての検出対象無線周波数チャネルが１つの検出対象無線周波数ユニットに属し、かつ、全ての基準無線周波数チャネルが１つの基準無線周波数ユニットの属す例が、説明のために用いられる。
【００４８】
理解しやすくするために、以下では、本願の実施形態における特定の手順を説明する。図６を参照すると、基準無線周波数チャネルを用いることにより測定信号が順次送信される場合、無線周波数チャネル接続検出装置は、第１の無線周波数ユニットを含む。本願の実施形態における無線周波数チャネル接続検出方法の実施形態は、以下の段階を含む。
【００４９】
６０１．基準無線周波数ユニットのＮ個の基準無線周波数チャネルのうちの少なくとも１つを用いることにより信号を送信する。
【００５０】
本実施形態および後続の実施形態における信号は、専用測定信号であってもよく、別の既存の信号、例えば、サービスデータを保持する信号、または基準信号であってもよいことに留意されたい。理解しやすくするために、本実施形態および後続の実施形態において、信号が測定信号である例が、説明のために用いられる。異なる実施形態における測定信号を区別するために、測定信号が順次送信されるシナリオでは、当該測定信号は、第１の測定信号と称され、測定信号が同時に送信されるシナリオでは、当該測定信号は、第２の測定信号と称される。本実施形態は、Ｎ個の基準無線周波数チャネルのうちのＭ個の基準無線周波数チャネルを用いることにより測定信号が順次送信されるシナリオに適用される。Ｍは、１よりも大きいかまたはそれに等しく、かつ、Ｎよりも小さいかまたはそれに等しい整数である。第１の測定信号を例として用いることにより、本実施形態における信号を説明する。
【００５１】
具体的には、第１の測定信号は、基準無線周波数ユニットのＭ個の基準無線周波数チャネルを用いることにより送信される。第１の測定信号は、Ｎ個の検出対象無線周波数チャネルとＮ個のアンテナとの間の接続関係を判断するために用いられる。具体的には、第１の測定信号は、基準無線周波数ユニットのＭ個の基準無線周波数チャネルを用いることにより、予め設定された送信シーケンスに従って順次送信され、送信された第１の測定信号は、第１の無線周波数ユニットの各検出対象無線周波数チャネルを用いることにより受信され得る。任意選択で、Ｍは、ＮまたはＮ−１に等しくてよい。具体的には、Ｎ個の検出対象無線周波数チャネルとＮ個のアンテナとの間の接続関係は、Ｎ個またはＮ−１個の基準無線周波数チャネルを用いることにより当該信号が送信された後にのみ、判断され得る。
【００５２】
Ｎ個の基準無線周波数チャネルのうちの各々は、コンバイナ装置を用いることにより１つの検出対象無線周波数チャネルに接続され、異なる基準無線周波数チャネルが、異なる検出対象無線周波数チャネルに接続される。信号を送信するために基準無線周波数チャネルが用いられる場合、基準無線周波数チャネルを用いることにより送信される信号を定在波チャネルおよび無線周波数ループバック技術を用いることにより検出対象無線周波数チャネルの受信チャネルへループバックして当該信号を受信するために、基準無線周波数チャネルに接続された検出対象無線周波数チャネルが用いられ得る。この場合、検出対象無線周波数チャネルを用いることにより受信される信号の強度は比較的強い。無線周波数信号は空間放射という特徴を有しており、異なる無線周波数チャネルは完全には隔離され得ないので、信号が基準無線周波数チャネル上で送信される場合、送信される信号は、基準無線周波数チャネルに接続されていない検出対象無線周波数チャネル上でも受信される。具体的には、送信される信号は、干渉信号として別の検出対象無線周波数チャネルへ漏洩し、別の検出対象無線周波数チャネル上で受信される信号の強度は非常に弱い。
【００５３】
第１の測定信号は、各基準無線周波数チャネル上で送信される測定信号の一般的な名称である。本実施形態において、基準無線周波数チャネル上で送信される第１の測定信号の特徴は、同じであってもよく、異なってもよい。第１の測定信号は、順に送信される複数の測定信号のセットであり、基準無線周波数チャネルを用いることにより測定信号が同時に送信されるシナリオにおいて第２の測定信号を識別するために用いられる。当該信号の同じ特徴が、複数の形式で表され得る。例えば、第１の測定信号は、同じ直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルであってよく、または、第１の測定信号は、同じ基準シーケンスを用いることにより生成され、または、第１の測定信号は、同じ信号スクランブリング方式を用いる。当該信号の異なる特徴も、複数の形式で表され得る。別の例では、第１の測定信号は、異なる直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルであってよく、または、第１の測定信号は、異なる基準シーケンスを用いることにより生成され、または、第１の測定信号は、異なる信号スクランブリング方式を用いる。このことは、本明細書において具体的に限定されない。本実施形態および後続の実施形態において、第１の無線周波数ユニットは、パッシブ無線周波数ユニットであり、基準無線周波数ユニットは、アクティブ無線周波数ユニットまたはパッシブ無線周波数ユニットであってよい。説明しやすくするために、本実施形態および後続の実施形態において、基準無線周波数ユニットがアクティブ無線周波数ユニットであり、第１の無線周波数ユニットがパッシブ無線周波数ユニットである例が、説明のために用いられる。本実施形態および後続の実施形態において、基準無線周波数ユニットがアクティブアンテナユニットＡＡＵのアクティブ無線周波数ユニットであり、第１の無線周波数ユニットが第１の無線遠隔ユニットＲＲＵである例が、説明のために用いられる。
【００５４】
例えば、ＡＡＵのアクティブ無線周波数ユニットが、予め設定された送信シーケンスに従って第１の測定信号を順次送信するプロセスでは、予め設定された送信シーケンスは、ベンダにより設定されるデフォルトシーケンスであってよく、例えば、基準無線周波数チャネルには、上から下へかつ左から右へ番号が付され、または、予め設定された送信シーケンスは、製品のインストール中にスタッフにより設定されるテストシーケンスであってよく、送信チャネルにはランダムに番号が付される。例えば、Ｎ＝Ｍ＝４である。４つの基準無線周波数チャネルが存在する場合、４つの基準無線周波数チャネルには、ベンダにより設定されるデフォルトシーケンスで、１から４という番号が順次付される。検出プロセスにおいて、１番目の第１の測定信号がまず、基準無線周波数チャネル１を用いることにより送信され得る。基準無線周波数チャネル１上での送信が完全である後に、２番目の第１の測定信号が、基準無線周波数チャネル２を用いることにより送信される。このプロセスは、第１の測定信号が、４つの基準無線周波数チャネルの全てを用いることにより送信されるまで、繰り返される。当該チャネルを用いることにより第１の測定信号が送信される時間間隔が、実際の条件に基づいて設定され得る。このことは、本明細書において具体的に限定されない。基準無線周波数チャネルの数は、代替的に、別の値であってよく、例えば、６または８であってよい。このことは、本明細書において具体的に限定されない。
【００５５】
Ｎ個の基準無線周波数チャネルは、基準無線周波数ユニットの全てのチャネルまたは基準無線周波数ユニットのいくつかのチャネルであってよいことにさらに留意されたい。このことは、本明細書において具体的に限定されない。
【００５６】
任意選択で、Ｎ個の基準無線周波数チャネルのうちのＭ個を用いることによる信号の順次送信は、巡回判断方式で実装され得る。具体的には、信号を送信するために１つの基準無線周波数チャネルが用いられる度に、第１の測定信号の送信がＭ個の基準無線周波数チャネルの全てで完了しているかどうかが判断される。第１の測定信号の送信が完了している場合、基準無線周波数チャネル上での信号送信は終了しており、第１の測定信号の送信が完了していない場合、信号送信は次の基準無線周波数チャネル上で続けられる。
【００５７】
任意選択で、予め設定された時間閾値が満たされている場合、第１の測定信号の送信がＭ個の基準無線周波数チャネルの全てで完了しているかどうかが判断される。第１の測定信号の送信がＭ個の基準無線周波数チャネルの全てで完了している場合、段階６０２が実行される。第１の測定信号の送信がＭ個の基準無線周波数チャネルの全てで完了していない場合、信号送信は次の基準無線周波数チャネル上で続けられる。
【００５８】
Ｎ個の基準無線周波数チャネルのうちのＭ個を用いることにより第１の測定信号が順次送信されるシナリオでは、測定信号の送信がＮ個の基準無線周波数チャネルのうちのＮ−１個で完了した後に残りのただ１つの基準無線周波数チャネルと検出対象無線周波数チャネルとの間の接続関係が判断され得ることが、理解され得る。従って、測定信号は、最後の基準無線周波数チャネルを用いることによっては送信され得ない。実際の適用では、測定信号は、最後の基準無線周波数チャネルを用いることにより、送信されてもよく、送信されなくてもよい。このことは、本明細書において具体的に限定されない。
【００５９】
６０２．第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する。
【００６０】
第１の無線周波数ユニットは、Ｎ個の検出対象無線周波数チャネルのうちの各々を用いることにより、基準無線周波数ユニットのＮ個の基準無線周波数チャネルのうちの少なくとも１つを用いることにより送信される第１の測定信号を受信する。第１の無線周波数ユニットのＮ個の検出対象無線周波数チャネルの数は、Ｎ個の基準無線周波数チャネルの数と同じである。例えば、第１の無線周波数ユニットの検出対象無線周波数チャネルの数が４である、すなわち、Ｎが４である場合、基準無線周波数チャネルの数も４である、すなわち、Ｎも４である。
【００６１】
例えば、第１の測定信号は、予め設定された送信シーケンスに従って順次送信されるので、第１の測定信号はまた、検出対象無線周波数チャネルを用いることにより順次受信される。例えば、それぞれ１から４という番号が付された４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。第１の測定信号の空間放射などの特徴に起因して、無線周波数チャネル間には干渉が発生する。具体的には、検出対象無線周波数チャネル１に接続された基準無線周波数チャネル１を用いることにより送信される第１の測定信号に加え、別の基準無線周波数チャネル（干渉経路）を用いることにより送信される第１の測定信号を受信するために、第１の無線遠隔ユニットの検出対象無線周波数チャネル１がさらに用いられる。例えば、第１の測定信号を送信するために基準無線周波数チャネル１が用いられる場合において、検出対象無線周波数チャネル１が基準無線周波数チャネル１に接続されるときは、当該信号は、定在波チャネルと、基準無線周波数チャネル１に接続されていない検出対象無線周波数チャネル（検出対象無線周波数チャネル２、空間放射等に起因して、送信された第１の測定信号（すなわち、干渉信号）は、検出対象無線周波数チャネル３および検出対象無線周波数チャネル４上で受信される）とを用いることにより、検出対象無線周波数チャネル１へループバックされ得る。干渉信号の特徴は、第１の測定信号のものと同じであり、干渉信号の強度は、検出対象無線周波数チャネル１を用いることにより受信される第１の測定信号のものよりも弱い。
【００６２】
例えば、第１の無線周波数ユニットは、第１の無線遠隔ユニットであり、基準無線周波数ユニットは、ＡＡＵのアクティブ無線周波数ユニットＡＵであり、アクティブ無線周波数ユニットのチャネルを用いることにより送信される第１の測定信号を順次受信するために、第１の無線遠隔ユニットのＮ個の検出対象無線周波数チャネルが用いられる。当該基準無線周波数チャネルを用いることにより毎回送信される第１の測定信号が同じ特徴を有するかどうかにかかわらず、第１の測定信号は順に送信されるので、Ｎ個の検出対象無線周波数チャネルを用いることにより同時に受信される第１の測定信号は、同じ特徴を有するが、異なる信号強度を有する。基準無線周波数チャネルに接続された検出対象無線周波数チャネル上の信号が最も強い強度を有し、別の検出対象無線周波数チャネルにより受信される第１の測定信号は、当該信号の空間放射などの特徴に起因して弱い信号強度を有するので、干渉信号と定義され得る。
【００６３】
図５に示される第１の無線周波数チャネルグループおよび第２の無線周波数チャネルグループにおいて、異なるチャネルの受信周波数帯域が異なる場合、本願の実施形態における方法を実装するために、本実施形態および後続の実施形態では、検出対象無線周波数チャネルの受信周波数帯域が、基準無線周波数チャネルにより送信される信号が受信され得る周波数帯域に設定され得ることが理解され得る。
【００６４】
６０３．各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００６５】
第１の無線周波数ユニットは、各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００６６】
具体的には、第１の無線遠隔ユニットが４つの検出対象無線周波数チャネルを含む場合、第１の無線遠隔ユニットの４つの検出対象無線周波数チャネルを用いることにより第１の測定信号が毎回受信された後に、第１の無線遠隔ユニットは、４つの検出対象無線周波数チャネルを用いることにより受信される第１の測定信号の信号強度に基づいて、受信される信号が最も強い強度を有する検出対象無線周波数チャネルが、第１の測定信号が毎回送信される基準無線周波数チャネルに接続された検出対象無線周波数チャネルであると判断する。
【００６７】
本実施形態において、ただ１つの基準無線周波数チャネルは、第１の測定信号を毎回送信するために用いられることに留意されたい。従って、基準無線周波数チャネルと検出対象無線周波数チャネルとの間の１つの接続関係が、毎回判断され得る。
【００６８】
例えば、４つの基準無線周波数チャネルおよび４つの検出対象無線周波数チャネルが存在する。一般性を失うことなく、検出対象無線周波数チャネルｉと基準無線周波数チャネルｉが正しいときの接続関係。ｉ＝１、２、３または４である。第１の測定信号を送信するために基準無線周波数チャネル１が用いられる場合、基準無線周波数チャネル１は、ターゲット基準無線周波数チャネルであり、基準無線周波数チャネル１を用いることにより送信される第１の測定信号は、ターゲット測定信号である。ターゲット測定信号またはターゲット測定信号の干渉信号は、第１の無線遠隔ユニットの４つの検出対象無線周波数チャネルを用いることにより受信される。検出対象無線周波数チャネル１から検出対象無線周波数チャネル４上での信号強度が比較される。検出対象無線周波数チャネル１上での信号強度が最も強い場合、検出対象無線周波数チャネル１を用いることにより受信される信号が、ターゲット測定信号と判断され、検出対象無線周波数チャネル２から検出対象無線周波数チャネル４を用いることにより受信される信号が、干渉信号と判断され、ターゲット測定信号を受信するために用いられる検出対象無線周波数チャネル１が、ターゲット検出対象無線周波数チャネルと判断される。ターゲット検出対象無線周波数チャネルは、ターゲット基準無線周波数チャネルに対応する。すなわち、図７に示されるように、検出対象無線周波数チャネル１は、これに応じて、基準無線周波数チャネル１に接続される。別の例では、第１の測定信号を送信するために基準無線周波数チャネル１が用いられる場合、基準無線周波数チャネル１は、ターゲット基準無線周波数チャネルであり、基準無線周波数チャネル１を用いることにより送信される第１の測定信号は、ターゲット測定信号であり、第１の無線遠隔ユニットの４つの受信チャネルは、ターゲット測定信号またはターゲット測定信号の干渉信号を受信するために用いられる。検出対象無線周波数チャネル１から検出対象無線周波数チャネル４上での信号強度が比較される。検出対象無線周波数チャネル２上での信号強度が最も強い場合、検出対象無線周波数チャネル２を用いることにより受信される信号が、ターゲット測定信号と判断され、検出対象無線周波数チャネル１、検出対象無線周波数チャネル３および検出対象無線周波数チャネル４を用いることにより受信される信号が、干渉信号と判断され、ターゲット測定信号を受信するために用いられる検出対象無線周波数チャネル２は、ターゲット検出対象無線周波数チャネルと判断される。ターゲット検出対象無線周波数チャネルは、ターゲット基準無線周波数チャネルに対応する。すなわち、図８に示されるように、検出対象無線周波数チャネル２は、これに応じて、基準無線周波数チャネル１に接続される。
【００６９】
６０４．Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【００７０】
第１の無線周波数ユニットは、Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【００７１】
具体的には、第１の無線周波数ユニットは、１つの基準無線周波数チャネルにより送信され、各検出対象無線周波数チャネルを用いることにより受信される第１の測定信号の信号強度に基づいて、Ｎ個の検出対象無線周波数チャネルのうちの１つとターゲット基準無線周波数チャネルとの間の接続関係を判断する。基準無線周波数チャネルは、ターゲット基準無線周波数チャネルである。受信される第１の測定信号が最も強い信号強度を有する検出対象無線周波数チャネルが、ターゲット基準無線周波数チャネルに接続され、当該検出対象無線周波数チャネルは、ターゲット基準無線周波数チャネルに接続されたアンテナに接続される。
【００７２】
例えば、４つの基準無線周波数チャネルおよび４つの検出対象無線周波数チャネルが存在する。第１の無線遠隔ユニットが４つの検出対象無線周波数チャネルを含む場合、４つの基準無線周波数チャネルは、別々に第１の測定信号を順に送信し、第１の測定信号は、合計で４回送信される。１つの検出対象無線周波数チャネルと１つの基準無線周波数チャネルとの間で毎回判断される接続関係に基づいて、４つの検出対象無線周波数チャネルと４つの基準無線周波数チャネルとの間の接続関係が判断される。１つの検出対象無線周波数チャネルが１つの基準無線周波数チャネルに接続され、１つの基準無線周波数チャネルが１つのアンテナに接続されるので、４つの検出対象無線周波数チャネルと４つのアンテナとの間の接続関係が判断され得る。
【００７３】
実現可能な実装において、Ｎ個の検出対象無線周波数チャネルがベースバンドユニット（ｂｕｉｌｄｉｎｇ  ｂａｓｅｂａｎｄ  ｕｎｉｔ、ＢＢＵ）に接続され、Ｎ個の検出対象無線周波数チャネルとＮ個のアンテナとの間の接続関係を特に判断する動作が、ＢＢＵにより実行され得る。例えば、段階６０３および段階６０４は、代替的にベースバンドユニットＢＢＵにより実行されてもよく、依然として第１の無線周波数ユニットにより実行されてもよい。
【００７４】
特定の判断動作がＢＢＵにより実行される場合、段階６０２と段階６０３との間に、受信された第１の測定信号を第１の無線周波数ユニットがＢＢＵへ送信する段階がさらに含まれることが理解され得る。
【００７５】
任意選択で：６０５．Ｎ個の検出対象無線周波数チャネルとＮ個のアンテナとの間の実際の接続関係が予め設定された接続関係と同じであるかどうかを判断する。
【００７６】
第１の無線周波数ユニット、または第１の無線周波数ユニットに接続されたＢＢＵは、Ｎ個の検出対象無線周波数チャネルとＮ個のアンテナとの間の実際の接続関係が予め設定された接続関係と同じであるかどうかを判断する。具体的には、第１の無線周波数ユニット、または第１の無線周波数ユニットに接続されたＢＢＵは、当該検出対象無線周波数チャネルと、当該検出対象無線周波数チャネルに対応する基準無線周波数チャネルとの間の実際の接続関係を、予め設定された接続関係（すなわち、当該検出対象無線周波数チャネルと当該基準無線周波数チャネルとの間の予め設定された正しい対応関係）と比較する。実際の接続関係が予め設定された接続関係とは異なる場合、段階６０６が実行される。実際の接続関係が予め設定された接続関係と同じである場合、段階６０７が実行される。
【００７７】
任意選択で：６０６．基準無線周波数ユニットと第１の無線周波数ユニットとの間の接続関係が間違っていると判断し、プロンプトを提供する。
【００７８】
第１の無線周波数ユニット、または第１の無線周波数ユニットに接続されたＢＢＵは、基準無線周波数ユニットと第１の無線周波数ユニットとの間の接続関係が間違っていると判断し、プロンプトを提供する。
【００７９】
任意選択で：６０７．基準無線周波数ユニットと第１の無線周波数ユニットとの間の接続関係が正しいと判断する。
【００８０】
第１の無線周波数ユニット、または第１の無線周波数ユニットに接続されたＢＢＵは、基準無線周波数ユニットと第１の無線周波数ユニットとの間の接続関係が正しいと判断する。
【００８１】
本願の本実施形態において、基準無線周波数ユニットが第１の無線周波数ユニットに接続される場合、基準無線周波数ユニットは、予め設定された送信シーケンスに従って第１の測定信号を順次送信し、第１の無線周波数ユニットが第１の測定信号を受信するプロセスにおいて、第１の無線周波数ユニットとアンテナＡＵとの間のケーブル接続関係が正しいかどうかが、調節に際してスタッフを支援するために検出される。これにより、現場での二次的な構築の難しさが低減し、構築効率が改善する。
【００８２】
図９を参照すると、本願の実施形態による別の無線周波数チャネル接続検出方法は、以下の段階を含む。
【００８３】
９０１．基準無線周波数ユニットのＮ個の基準無線周波数チャネルを用いることにより信号を同時に送信する。
【００８４】
当該信号が測定信号である例を用いることにより、本実施形態を説明する。本実施形態は、Ｎ個の基準無線周波数チャネルを用いることにより測定信号が同時に送信されるシナリオに適用される。本実施形態において、第２の測定信号が、説明のための例として用いられる。
【００８５】
具体的には、第２の測定信号を同時に送信するために基準無線周波数ユニットのＮ個の基準無線周波数チャネルが用いられ、Ｎ個の検出対象無線周波数チャネルとＮ個のアンテナとの間の接続関係を判断するために第２の測定信号が用いられる。具体的には、第２の測定信号を同時に送信するために基準無線周波数ユニットのＮ個の基準無線周波数チャネルが用いられ、送信された第２の測定信号は、第１の無線遠隔ユニットの各検出対象無線周波数チャネルを用いることにより受信され得る。
【００８６】
Ｎ個の基準無線周波数チャネルのうちの各々は、コンバイナ装置を用いることにより１つの検出対象無線周波数チャネルに接続され、異なる基準無線周波数チャネルが、異なる検出対象無線周波数チャネルに接続される。信号を送信するために基準無線周波数チャネルが用いられる場合、基準無線周波数チャネルを用いることにより送信される信号を定在波チャネルおよび無線周波数ループバック技術を用いることにより検出対象無線周波数チャネルの受信チャネルへループバックして当該信号を受信するために、基準無線周波数チャネルに接続された検出対象無線周波数チャネルが用いられ得る。この場合、検出対象無線周波数チャネルを用いることにより受信される信号の強度は比較的強い。無線周波数信号は空間放射という特徴を有しており、異なる無線周波数チャネルは完全には隔離され得ないので、信号が基準無線周波数チャネル上で送信される場合、送信される信号は、基準無線周波数チャネルに接続されていない検出対象無線周波数チャネル上でも受信される。具体的には、送信される信号は、干渉信号として別の検出対象無線周波数チャネルへ漏洩し、別の検出対象無線周波数チャネル上で受信される信号の強度は非常に弱い。
【００８７】
第２の測定信号は、各基準無線周波数チャネル上で送信される測定信号の一般的な名称である。本実施形態において、基準無線周波数チャネル上で送信される第２の測定信号の特徴は異なる。第２の測定信号は、同時に送信される複数の測定信号のセットであり、基準無線周波数チャネルを用いることにより測定信号が順次送信されるシナリオにおいて第１の測定信号を識別するために用いられる。異なる特徴が、複数の形式で表され得る。例えば、第２の測定信号は、異なるＯＦＤＭシンボルであってよく、または、第２の測定信号は、異なる基準シーケンスを用いることにより生成され、または、第２の測定信号は、異なる信号スクランブリング方式を用いる。このことは、本明細書において具体的に限定されない。
【００８８】
例えば、ＡＡＵのアクティブ無線周波数ユニットが第２の測定信号を同時に送信するプロセスにおいて、基準無線周波数チャネルには、上から下へかつ左から右へ番号が付され、または、製品のインストール中にスタッフにより設定されるテストシーケンスが用いられ、基準無線周波数チャネルには、ランダムに番号が付される。例えば、Ｎ＝４である。４つの基準無線周波数チャネルが存在する場合、４つの基準無線周波数チャネルには、ベンダにより設定されるデフォルトシーケンスで、１から４という番号が順次付される。検出プロセスにおいて、第２の測定信号は、基準無線周波数チャネル１を用いることにより、基準無線周波数チャネル４へ同時に送信される。基準無線周波数チャネルの数は、代替的に、別の値であってよく、例えば、６、８または１０であってよい。このことは、本明細書において具体的に限定されない。
【００８９】
Ｎ個の基準無線周波数チャネルは、基準無線周波数ユニットの全てのチャネルまたは基準無線周波数ユニットのいくつかのチャネルであってよいことにさらに留意されたい。このことは、本明細書において具体的に限定されない。
【００９０】
任意選択で、本願において既知である「同時送信」は、特定の期間内に複数の無線周波数チャネルの全てで送信が完了していることであってよい。送信が同時に始まるかまたは終わることは、厳密には必要とされない。任意選択で、予め設定された時間閾値が満たされている場合、第２の測定信号の送信がＮ個の基準無線周波数チャネルの全てで完了しているかどうかが判断される。第２の測定信号の送信がＮ個の基準無線周波数チャネルの全てで完了している場合、段階９０２が実行される。第２の測定信号の送信がＮ個の基準無線周波数チャネルの全てで完了していない場合、各基準無線周波数チャネルを用いることにより、次の第２の測定信号が同時に送信される。
【００９１】
９０２．第１の無線周波数ユニットが、Ｎ個の検出対象無線周波数チャネルのうちの各々を用いることにより、基準無線周波数ユニットのＮ個の基準無線周波数チャネルを用いることにより送信される信号を受信する。
【００９２】
第１の無線周波数ユニットが、Ｎ個の検出対象無線周波数チャネルのうちの各々を用いることにより、基準無線周波数ユニットのＮ個の基準無線周波数チャネルを用いることにより送信される第２の測定信号を受信する。第１の無線周波数ユニットのＮ個の検出対象無線周波数チャネルの数は、Ｎ個の基準無線周波数チャネルの数と同じである。例えば、第１の無線周波数ユニットの検出対象無線周波数チャネルの数が４である、すなわち、Ｎが４である場合、基準無線周波数チャネルの数も４である、すなわち、Ｎも４である。
【００９３】
例えば、Ｎ個の基準無線周波数チャネルを用いることにより送信される第２の測定信号を受信するために、第１の無線遠隔ユニットの全ての検出対象無線周波数チャネルが用いられる。第２の測定信号が同時に送信されるので、強い信号強度を有する１つの第２の測定信号と、弱い信号強度を有するいくつかの第２の測定信号とが、各検出対象無線周波数チャネル上で同時に受信され、異なる信号特徴に基づいて、異なる基準無線周波数チャネルを用いることにより送信される第２の測定信号が区別する。例えば、それぞれ１から４という番号が付された４つの基準無線周波数チャネル、４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。全ての基準無線周波数チャネルにより送信される第２の測定信号の特徴が異なるので、基準無線周波数チャネル１を用いることにより送信される第２の測定信号が、特徴信号１と称される。同様に、基準無線周波数チャネル２を用いることにより送信される第２の測定信号が特徴信号２と称され、基準無線周波数チャネル３を用いることにより送信される第２の測定信号が特徴信号３と称され、基準無線周波数チャネル４を用いることにより送信される第２の測定信号が特徴信号４と称される。第２の測定信号の空間放射などの特徴に起因して、無線周波数チャネル間には干渉が発生する。具体的には、検出対象無線周波数チャネル１に接続された基準無線周波数チャネル１を用いることにより送信される特徴信号１の受信に加え、他の基準無線周波数チャネルを用いることにより送信される他の特徴信号（特徴信号２、特徴信号３および特徴信号４）を受信するために、第１の無線遠隔ユニットの検出対象無線周波数チャネル１がさらに用いられる。例えば、基準無線周波数チャネル１を用いることにより送信される特徴信号１については、検出対象無線周波数チャネル１が基準無線周波数チャネル１に接続される場合、検出対象無線周波数チャネル１は、特徴信号１および別の特徴信号を受信し、別の特徴信号の信号強度は、特徴信号１の信号強度よりも弱い。別の例では、基準無線周波数チャネル１を用いることにより送信される特徴信号１については、検出対象無線周波数チャネル２が基準無線周波数チャネル１に接続される場合、検出対象無線周波数チャネル２は、特徴信号１および別の特徴信号を受信するために用いられ、別の特徴信号の信号強度は、特徴信号１の信号強度よりも弱い。
【００９４】
例えば、第１の無線周波数ユニットは、第１の無線遠隔ユニットであり、基準無線周波数ユニットは、ＡＡＵのアクティブ無線周波数ユニットＲＵであり、アクティブ無線周波数ユニットのＮ個の基準無線周波数チャネルを用いることにより送信される第２の測定信号を同時に受信するために、第１の無線遠隔ユニットのＮ個の検出対象無線周波数チャネルが用いられる。Ｎ個の基準無線周波数チャネルを用いることにより同時に送信される第２の測定信号の特徴は異なる。異なる特徴を有する複数の第２の測定信号を受信するために、Ｎ個の検出対象無線周波数チャネルのうちのいずれか１つ、すなわち、ターゲット検出対象無線周波数チャネルが用いられ、第２の測定信号の強度は、完全に同じではない。最も強い信号強度を有する受信された信号が、当該検出対象無線周波数チャネルに対応するターゲット特徴信号と判断され、ターゲット特徴信号を送信する基準無線周波数チャネルが、ターゲット検出対象無線周波数チャネルに接続された基準無線周波数チャネルと判断される。
【００９５】
９０３．各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００９６】
第１の無線周波数ユニットは、各検出対象無線周波数チャネルを用いることにより受信される第２の測定信号に基づいて、Ｎ個の検出対象無線周波数チャネルのうちの少なくとも１つとＮ個の基準無線周波数チャネルのうちの少なくとも１つとの間の接続関係を判断する。
【００９７】
具体的には、第１の無線遠隔ユニットが４つの検出対象無線周波数チャネルを含む場合、第１の無線遠隔ユニットの４つの検出対象無線周波数チャネルを用いることにより第２の測定信号が受信された後に、第１の無線遠隔ユニットは、４つの検出対象無線周波数チャネルを用いることにより受信される第２の測定信号の信号強度に基づいて、受信される信号が最も強い強度を有する検出対象無線周波数チャネルが、最も強い信号強度を有する測定信号が送信される基準無線周波数チャネルに接続されていると判断する。
【００９８】
例えば、４つの基準無線周波数チャネルおよび４つの検出対象無線周波数チャネルが存在する。それぞれ１から４という番号が付された４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。全ての基準無線周波数チャネルにより送信される第２の測定信号の特徴が異なるので、基準無線周波数チャネル１を用いることにより送信される第２の測定信号が、特徴信号１と称される。同様に、基準無線周波数チャネル２を用いることにより送信される第２の測定信号が特徴信号２と称され、基準無線周波数チャネル３を用いることにより送信される第２の測定信号が特徴信号３と称され、基準無線周波数チャネル４を用いることにより送信される第２の測定信号が特徴信号４と称される。第２の測定信号の空間放射などの特徴に起因して、無線周波数チャネル間には干渉が発生する。具体的には、検出対象無線周波数チャネル１に接続された基準無線周波数チャネル１を用いることにより送信される特徴信号１の受信に加え、他の基準無線周波数チャネル（干渉経路）を用いることにより送信される他の特徴信号（特徴信号２、特徴信号３および特徴信号４）を受信するために、第１の無線遠隔ユニットの検出対象無線周波数チャネル１がさらに用いられる。例えば、図１０に示されるように、基準無線周波数チャネル１を用いることにより送信される特徴信号１については、検出対象無線周波数チャネル１が基準無線周波数チャネル１に接続される場合、検出対象無線周波数チャネル２は、基準無線周波数チャネル２に接続され、検出対象無線周波数チャネル３は、基準無線周波数チャネル３に接続され、検出対象無線周波数チャネル４は、基準無線周波数チャネル４に接続され、検出対象無線周波数チャネル１は、最も強い信号強度を有する特徴信号１および他の特徴信号（干渉信号）を受信するために用いられ、検出対象無線周波数チャネル２は、最も強い信号強度を有する特徴信号２および他の特徴信号（干渉信号）を受信するために用いられ、検出対象無線周波数チャネル３は、最も強い信号強度を有する特徴信号３および他の特徴信号（干渉信号）を受信するために用いられ、検出対象無線周波数チャネル４は、最も強い信号強度を有する特徴信号４および他の特徴信号（干渉信号）を受信するために用いられ、検出対象無線周波数チャネル１上で受信される干渉信号の信号強度は、検出対象無線周波数チャネル１上で受信される特徴信号１の信号強度よりも弱い。別の例では、基準無線周波数チャネル１を用いることにより送信される特徴信号１については、検出対象無線周波数チャネル２は、基準無線周波数チャネル１に接続され、検出対象無線周波数チャネル１は、基準無線周波数チャネル２に接続され、検出対象無線周波数チャネル３は、基準無線周波数チャネル３に接続され、検出対象無線周波数チャネル４は、基準無線周波数チャネル４に接続される。この場合、図１１に示されるように、検出対象無線周波数チャネル２は、最も強い信号強度を有する特徴信号１および他の特徴信号（干渉信号）を受信し、検出対象無線周波数チャネル１は、最も強い信号強度を有する特徴信号２および他の特徴信号（干渉信号）を受信し、検出対象無線周波数チャネル３は、最も強い信号強度を有する特徴信号３および他の特徴信号（干渉信号）を受信し、検出対象無線周波数チャネル４は、最も強い信号強度を有する特徴信号４および他の特徴信号（干渉信号）を受信し、検出対象無線周波数チャネル２上で受信される干渉信号の信号強度は、検出対象無線周波数チャネル２上の特徴信号１の信号強度よりも弱い。
【００９９】
図１０に示される特徴信号１の受信に加え、検出対象無線周波数チャネル１は、他の特徴信号（特徴信号２、特徴信号３および特徴信号４）を受信するためにさらに用いられることに留意されたい。ここでは、特定のプロセスを再度説明しない。
【０１００】
９０４．Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【０１０１】
第１の無線周波数ユニットは、Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【０１０２】
例えば、４つの基準無線周波数チャネルおよび４つの検出対象無線周波数チャネルが存在する。第１の無線周波数ユニットの各検出対象無線周波数チャネルに接続された基準無線周波数チャネルにより送信され、検出対象無線周波数チャネルを用いることにより受信される第２の測定信号と、第１の無線周波数ユニットの検出対象無線周波数チャネルに接続されていない他の基準無線周波数チャネルを用いることにより送信され、検出対象無線周波数チャネルを用いることにより受信される複数の第２の測定信号とは、具体的には、１つの特徴信号および他の特徴信号（干渉信号）、例えば、特徴信号１および他の特徴信号（特徴信号２、特徴信号３および特徴信号４）を含む。特徴信号１の信号強度が最も強く、特徴信号１を送信するために用いられる基準無線周波数チャネル１は、ターゲット基準無線周波数チャネルである。４つの検出対象無線周波数チャネルのうちの１つとターゲット基準無線周波数チャネルとの間の接続関係が判断される。例えば、基準無線周波数チャネル１は、特徴信号１を送信するために用いられ、検出対象無線周波数チャネル１を用いることにより受信される第２の測定信号のうち特徴信号１の信号強度が最も強い場合、検出対象無線周波数チャネル１は、基準無線周波数チャネル１に接続された検出対象無線周波数チャネルと判断される。検出対象無線周波数チャネル１は、基準無線周波数チャネル１に接続されたアンテナに接続される。
【０１０３】
例えば、４つの基準無線周波数チャネルおよび４つの検出対象無線周波数チャネルが存在する。第１の無線遠隔ユニットが４つの検出対象無線周波数チャネルを含む場合、４つの基準無線周波数チャネルは、第２の測定信号を同時に送信するために用いられ、第２の測定信号は、合計で１回送信される。検出対象無線周波数チャネルと基準無線周波数チャネルとの間で判断される接続関係に基づいて、４つの検出対象無線周波数チャネルと４つの基準無線周波数チャネルとの間の接続関係が判断される。１つの検出対象無線周波数チャネルが１つの基準無線周波数チャネルに接続され、１つの基準無線周波数チャネルが１つのアンテナに接続されるので、４つの検出対象無線周波数チャネルと４つのアンテナとの間の接続関係が判断され得る。
【０１０４】
実現可能な実装において、Ｎ個の検出対象無線周波数チャネルがベースバンドユニット（ｂｕｉｌｄｉｎｇ  ｂａｓｅｂａｎｄ  ｕｎｉｔ、ＢＢＵ）に接続され、Ｎ個の検出対象無線周波数チャネルとＮ個のアンテナとの間の接続関係を特に判断する動作が、ＢＢＵにより実行される。例えば、段階９０３および段階９０４は、第１の無線周波数ユニットに実装されてもよく、ＢＢＵに実装されてもよい。
【０１０５】
特定の判断動作がＢＢＵにより実行される場合、段階９０２と段階９０３との間に、受信された第２の測定信号を第１の無線周波数ユニットがＢＢＵへ送信する段階がさらに含まれることが理解され得る。このことは、本明細書において具体的に限定されない。
【０１０６】
任意選択で：９０５．Ｎ個の検出対象無線周波数チャネルとＮ個のアンテナとの間の実際の接続関係が予め設定された接続関係と同じであるかどうかを判断する。
【０１０７】
第１の無線周波数ユニット、または第１の無線周波数ユニットに接続されたＢＢＵは、Ｎ個の検出対象無線周波数チャネルとＮ個のアンテナとの間の実際の接続関係が予め設定された接続関係と同じであるかどうかを判断する。具体的には、第１の無線周波数ユニット、または第１の無線周波数ユニットに接続されたＢＢＵは、当該検出対象無線周波数チャネルと、当該検出対象無線周波数チャネルに対応する基準無線周波数チャネルとの間の実際の接続関係を、予め設定された接続関係（すなわち、当該検出対象無線周波数チャネルと当該基準無線周波数チャネルとの間の予め設定された正しい対応関係）と比較する。実際の接続関係が予め設定された接続関係とは異なる場合、段階９０６が実行される。実際の接続関係が予め設定された接続関係と同じである場合、段階９０７が実行される。
【０１０８】
任意選択で：９０６．基準無線周波数ユニットと第１の無線周波数ユニットとの間の接続関係が間違っていると判断し、プロンプトを提供する。
【０１０９】
第１の無線周波数ユニット、または第１の無線周波数ユニットに接続されたＢＢＵは、基準無線周波数ユニットと第１の無線周波数ユニットとの間の接続関係が間違っていると判断し、プロンプトを提供する。
【０１１０】
任意選択で：９０７．基準無線周波数ユニットと第１の無線周波数ユニットとの間の接続関係が正しいと判断する。
【０１１１】
第１の無線周波数ユニット、または第１の無線周波数ユニットに接続されたＢＢＵは、基準無線周波数ユニットと第１の無線周波数ユニットとの間の接続関係が正しいと判断する。
【０１１２】
本願の本実施形態において、基準無線周波数ユニットが第１の無線周波数ユニットに接続される場合、基準無線周波数ユニットは、第２の測定信号を同時に送信し、第１の無線周波数ユニットが第２の測定信号を受信するプロセスにおいて、第１の無線周波数ユニットと基準無線周波数ユニットのアンテナＡＵとの間のケーブル接続関係が正しいかどうかが、調節に際してスタッフを支援するために検出される。これにより、現場での二次的な構築の難しさが低減し、構築効率が改善する。
【０１１３】
上記では、本願の実施形態における無線周波数チャネル接続検出方法を説明した。以下では、本願の実施形態における無線周波数チャネル接続検出装置を説明する。図１２は、本願の実施形態における無線周波数チャネル接続検出装置を示す。
【０１１４】
図１２は、本願の実施形態による無線周波数チャネル接続検出装置の概略構造ブロック図である。図１２を参照すると、無線周波数チャネル接続検出装置は、第１の無線周波数ユニットおよびプロセッサを含む。統合ユニットが用いられる場合、図１２は、前述の実施形態における無線周波数チャネル接続検出装置の可能な概略構造図である。当業者であれば、図１２に示される第１の無線周波数ユニットの構造は、第１の無線周波数ユニットに対する限定を構成しないこと、および、第１の無線周波数ユニットは、この図に示されるものよりも多いかまたは少ないコンポーネントを含み得るか、または、いくつかのコンポーネントを組み合わせ得るか、または、異なるコンポーネント配置を有し得ることを理解し得る。
【０１１５】
図１２を参照すると、無線周波数チャネル接続検出装置１２００は、第１の無線周波数ユニット１２０１およびプロセッサ１２０２を含み、第１の無線周波数ユニット１２０１は、Ｎ個の検出対象無線周波数チャネルを含む。Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続される。検出対象無線周波数チャネルは、異なる基準無線周波数チャネルおよび異なるアンテナに接続され、Ｎは、２よりも大きいかまたはそれに等しい整数である。
【０１１６】
Ｎ個の検出対象無線周波数チャネルのうちの各々は、Ｎ個の基準無線周波数チャネルのうちの少なくとも１つを用いることにより送信される信号を受信するように構成される。
【０１１７】
無線周波数チャネル接続検出装置は、プロセッサ１２０２をさらに含む。プロセッサ１２０２は、Ｎ個の検出対象無線周波数チャネルに接続され、各検出対象無線周波数チャネルを用いることにより受信される信号に基づいて、Ｎ個の検出対象無線周波数チャネルとＮ個のアンテナとの間の接続関係を判断するように構成される。
【０１１８】
本実施形態において、コンバイナ装置は、コンバイナであってよく、第１の無線周波数ユニットは、無線遠隔ユニットであってよく、プロセッサ１２０２は、無線遠隔ユニットＲＲＵ内に配置されてよく、またはＲＲＵの外側に配置され、独立して存在してよいことに留意されたい。
【０１１９】
以下では、図１３を参照して、無線周波数チャネル接続検出装置の各コンポーネントを詳細に説明する。
【０１２０】
実現可能な実装において、プロセッサ１２０２はさらに、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断し、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する
ように構成される。
【０１２１】
実現可能な実装において、Ｎ個の基準無線周波数チャネルは、信号を順次送信するように構成される。
【０１２２】
Ｎ個の検出対象無線周波数チャネルのうちの各々はさらに、Ｎ個の基準無線周波数チャネルを用いることにより送信される信号を順次受信するように構成される。
【０１２３】
実現可能な実装において、プロセッサ１２０２は、具体的には、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断するように構成され、受信される信号が最も強い信号強度を有する検出対象無線周波数チャネルが、基準無線周波数チャネルに接続され、検出対象無線周波数チャネルは、基準無線周波数チャネルに接続されたアンテナに接続される。
【０１２４】
実現可能な実装において、図１３を参照すると、無線周波数チャネル接続検出装置１２００は、基準無線周波数ユニット１２０３をさらに含み、基準無線周波数ユニット１２０３は、Ｎ個の基準無線周波数チャネルを含む。
【０１２５】
Ｎ個の基準無線周波数チャネルは、信号を同時に送信するように構成され、Ｎ個の基準無線周波数チャネルのうちのいずれか１つを用いることにより送信される信号の特徴は、Ｎ個の基準無線周波数チャネルのうちの別の１つを用いることにより送信される信号の特徴とは異なる。
【０１２６】
Ｎ個の検出対象無線周波数チャネルのうちの各々は、Ｎ個の基準無線周波数チャネルを用いることにより同時に送信される信号を受信するために用いられる。
【０１２７】
実現可能な実装において、プロセッサ１２０２は、具体的には、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断するように構成され、
検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される。
【０１２８】
実現可能な実装において、図１４に示されるように、無線周波数チャネル接続検出装置１２００は、ベースバンドユニットＢＢＵ１２０４をさらに含み、ベースバンドユニット１２０４は、プロセッサ１２０２を含む。任意選択で、図１５に示されるように、ベースバンドユニットは、メモリ１２０４１および通信インタフェース１２０４２をさらに含み得る。ベースバンドユニット１２０４は、通信インタフェースを用いることによりＮ個の検出対象無線周波数チャネルに接続される。
【０１２９】
メモリ１２０４１は、プロセッサ１２０２に結合され、プロセッサ１２０２により実行されるプログラムおよび／または命令を格納するように構成される。
【０１３０】
通信インタフェース１２０４２は、各検出対象無線周波数チャネルにより送信される信号を受信するように構成される。
【０１３１】
各検出対象無線周波数チャネルはさらに、受信された信号をベースバンドユニット１２０４へ送信するように構成される。
【０１３２】
プロセッサ１２０２はさらに、ＢＢＵの別の機能をサポートするように構成され得ることに留意されたい。ＢＢＵは、ベースバンドユニットの他の機能をサポートするように構成されたより多くの他のプロセッサをさらに含み得る。
【０１３３】
実現可能な実装において、第１の無線周波数ユニット１２０１は、パッシブ無線周波数ユニットである。
【０１３４】
実現可能な実装において、基準無線周波数ユニット１２０３は、アクティブ無線周波数ユニットまたはパッシブ無線周波数ユニットである。
【０１３５】
実現可能な実装において、基準無線周波数ユニット１２０３および第１の無線周波数ユニット１２０１は、同じベースバンドユニット１２０４に接続される。
【０１３６】
任意選択で、図１５に示されるように、ベースバンドユニット１２０４は、バスシステム１２０４３をさらに含み得る。プロセッサ１２０２、メモリ１２０４１および通信インタフェース１２０４２は、バスシステム１２０４３を用いることにより互いに接続され得る。バスシステム１２０４３は、周辺コンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バス等であってよい。バス１２０４３は、アドレスバス、データバス、制御バス等に分類され得る。表現しやすくするために、図１５ではバスを表すのに１本の太線のみが用いられているが、このことは、１つのバスのみまたは１つのタイプのバスのみが存在することを意味しない。
【０１３７】
任意選択で、無線周波数チャネル接続検出装置１２００は、バスシステム、メモリ、通信インタフェース等をさらに含み得る。詳細は、ベースバンドユニットのものと同様であり、ここでは再度説明しない。
【０１３８】
コンピュータプログラム製品は、１または複数のコンピュータ命令を含む。コンピュータプログラム命令がロードされ、コンピュータ上で実行された場合、本願の実施形態による手順または機能が全てまたは部分的に生成される。コンピュータは、汎用コンピュータ、専用コンピュータ、コンピュータネットワークまたは他のプログラム可能な装置であってよい。コンピュータ命令は、コンピュータ可読記憶媒体に格納されてもよく、コンピュータ可読記憶媒体から別のコンピュータ可読記憶媒体へ伝送されてもよい。例えば、コンピュータ命令は、あるウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（ｄｉｇｉｔａｌ  ｓｕｂｓｃｒｉｂｅｒ  ｌｉｎｅ、ＤＳＬ））または無線（例えば、赤外線、電波またはマイクロ波）方式で伝送されてよい。コンピュータ可読記憶媒体は、コンピュータがアクセス可能な任意の使用可能な媒体であってもよく、１または複数の使用可能な媒体を統合したサーバまたはデータセンタなどのデータ記憶デバイスであってもよい。使用可能な媒体は、磁気媒体（例えば、フロッピーディスク、ハードディスク、または磁気テープ）、光媒体（例えば、ＤＶＤ）、または半導体媒体（例えば、ソリッドステートドライブ（ｓｏｌｉｄ  ｓｔａｔｅ  ｄｉｓｋ、ＳＳＤ））等であってよい。
【０１３９】
統合ユニットがソフトウェア機能ユニットの形態で実装され、独立した製品として販売または使用される場合、統合ユニットは、コンピュータ可読記憶媒体に格納されてよい。そのような理解に基づいて、本願の技術的解決手段は本質的に、または、従来技術に寄与する部分、または技術的解決手段の全部もしくは一部が、ソフトウェア製品の形態で実装されてよい。ソフトウェア製品は、記憶媒体に記憶され、本願の実施形態において説明される方法の段階の全部または一部を実行するよう、（パーソナルコンピュータ、サーバまたはネットワークデバイスであってよい）コンピュータデバイスに命令するためのいくつかの命令を含む。前述の記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスクまたは光ディスクなど、プログラムコードを格納できるあらゆる媒体を含む。
【図１】
2021508969.tif 000003
【図２】
2021508969.tif 000004
【図３】
2021508969.tif 000005
【図４】
2021508969.tif 000006
【図５】
2021508969.tif 000007
【図６】
2021508969.tif 000008
【図７】
2021508969.tif 000009
【図８】
2021508969.tif 000010
【図９】
2021508969.tif 000011
【図１０】
2021508969.tif 000012
【図１１】
2021508969.tif 000013
【図１２】
2021508969.tif 000014
【図１３】
2021508969.tif 000015
【図１４】
2021508969.tif 000016
【図１５】
2021508969.tif 000017
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する段階であって、Ｎは、２よりも大きいかまたはそれに等しい整数である、受信する段階と、
各検出対象無線周波数チャネルを用いることにより受信される前記１または複数の信号に基づいて、前記Ｎ個の検出対象無線周波数チャネルとＮ個のアンテナとの間の接続関係を判断する段階であって、前記Ｎ個の検出対象無線周波数チャネルのうちのいずれか１つと、前記Ｎ個の基準無線周波数チャネルのうちの１つとが、コンバイナ装置を用いることにより前記Ｎ個のアンテナのうちの１つに接続され、前記Ｎ個の検出対象無線周波数チャネルは、異なる基準無線周波数チャネルおよび異なるアンテナに接続される、判断する段階と
を備える無線周波数チャネル接続検出方法。
【請求項２】
各検出対象無線周波数チャネルを用いることにより受信される前記１または複数の信号に基づいて、前記Ｎ個の検出対象無線周波数チャネルとＮ個のアンテナとの間の接続関係を判断する前記段階は、
各検出対象無線周波数チャネルを用いることにより受信される前記１または複数の信号に基づいて、前記Ｎ個の検出対象無線周波数チャネルのうちの少なくとも１つと前記Ｎ個の基準無線周波数チャネルのうちの少なくとも１つとの間の接続関係を判断する段階と、
前記Ｎ個の検出対象無線周波数チャネルのうちの前記少なくとも１つと前記Ｎ個の基準無線周波数チャネルのうちの前記少なくとも１つとの間の前記接続関係に基づいて、前記Ｎ個の検出対象無線周波数チャネルと前記Ｎ個のアンテナとの間の前記接続関係を判断する段階と
を有する、請求項１に記載の無線周波数チャネル接続検出方法。
【請求項３】
前記Ｎ個の基準無線周波数チャネルを用いることにより信号を順次送信する段階
をさらに備え、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する前記段階は、
前記第１の無線周波数ユニットが、前記Ｎ個の検出対象無線周波数チャネルのうちの各々を用いることにより、前記Ｎ個の基準無線周波数チャネルを用いることにより送信される前記信号を順次受信する段階
を有する、
請求項１または２に記載の無線周波数チャネル接続検出方法。
【請求項４】
各検出対象無線周波数チャネルを用いることにより受信される前記１または複数の信号に基づいて、前記Ｎ個の検出対象無線周波数チャネルとＮ個のアンテナとの間の接続関係を判断する前記段階は、
前記基準無線周波数チャネルを用いることにより送信され、各検出対象無線周波数チャネルを用いることにより受信される信号の信号強度に基づいて、前記Ｎ個の検出対象無線周波数チャネルのうちの１つと前記Ｎ個の基準無線周波数チャネルのうちの１つとの間の接続関係を判断する段階であって、受信される信号が最も強い信号強度を有する検出対象無線周波数チャネルが、前記基準無線周波数チャネルに接続され、前記検出対象無線周波数チャネルは、前記基準無線周波数チャネルに接続されたアンテナに接続される、判断する段階
を有する、
請求項３に記載の無線周波数チャネル接続検出方法。
【請求項５】
前記Ｎ個の基準無線周波数チャネルを用いることにより信号を同時に送信する段階であって、前記Ｎ個の基準無線周波数チャネルのうちのいずれか１つを用いることにより送信される信号の特徴が、前記Ｎ個の基準無線周波数チャネルのうちの別の１つを用いることにより送信される信号の特徴とは異なる、送信する段階
をさらに備え、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する前記段階は、
前記第１の無線周波数ユニットが、前記Ｎ個の検出対象無線周波数チャネルのうちの各々を用いることにより、前記Ｎ個の基準無線周波数チャネルを用いることにより同時に送信される前記信号を受信する段階
を有する、
請求項１または２に記載の無線周波数チャネル接続検出方法。
【請求項６】
各検出対象無線周波数チャネルを用いることにより受信される前記１または複数の信号に基づいて、前記Ｎ個の検出対象無線周波数チャネルとＮ個のアンテナとの間の接続関係を判断する前記段階は、
各検出対象無線周波数チャネルを用いることにより受信される前記１または複数の信号のうち同じ特徴を有する信号の信号強度に基づいて、前記Ｎ個の検出対象無線周波数チャネルのうちの１つと前記Ｎ個の基準無線周波数チャネルのうちの１つとの間の接続関係を判断する段階であって、検出対象無線周波数チャネルであって、前記検出対象無線周波数チャネルを用いることにより、前記同じ特徴を有する前記信号のうち最も強い信号強度を有する信号が受信される、検出対象無線周波数チャネルが、前記基準無線周波数チャネルに接続され、前記検出対象無線周波数チャネルは、前記基準無線周波数チャネルに接続されたアンテナに接続される、判断する段階
を有する、
請求項５に記載の無線周波数チャネル接続検出方法。
【請求項７】
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する前記段階の後に、
前記第１の無線周波数ユニットが、各検出対象無線周波数チャネルを用いることにより受信される前記１または複数の信号を、前記第１の無線周波数ユニットに接続されたベースバンドユニットへ送信する段階
をさらに備え、
各検出対象無線周波数チャネルを用いることにより受信される前記１または複数の信号に基づいて、前記Ｎ個の検出対象無線周波数チャネルとＮ個のアンテナとの間の接続関係を判断する前記段階は、
前記ベースバンドユニットが、各検出対象無線周波数チャネルを用いることにより受信される前記１または複数の信号に基づいて、前記Ｎ個の検出対象無線周波数チャネルと前記Ｎ個のアンテナとの間の前記接続関係を判断する段階
を有する、
請求項１から６のいずれか一項に記載の無線周波数チャネル接続検出方法。
【請求項８】
前記基準無線周波数ユニットは、アクティブ無線周波数ユニットであり、前記第１の無線周波数ユニットは、パッシブ無線周波数ユニットであり、または、
前記基準無線周波数ユニットおよび前記第１の無線周波数ユニットの両方がパッシブ無線周波数ユニットである、
請求項１から７のいずれか一項に記載の無線周波数チャネル接続検出方法。
【請求項９】
前記基準無線周波数ユニットと前記第１の無線周波数ユニットとは、同じベースバンドユニットに接続される、
請求項１から８のいずれか一項に記載の無線周波数チャネル接続検出方法。
【請求項１０】
第１の無線周波数ユニットであって、Ｎ個の検出対象無線周波数チャネルを有し、前記Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、前記Ｎ個の検出対象無線周波数チャネルは、異なる基準無線周波数チャネルおよび異なるアンテナに接続され、Ｎは、２よりも大きいかまたはそれに等しい整数であり、前記Ｎ個の検出対象無線周波数チャネルのうちの各々は、前記Ｎ個の基準無線周波数チャネルのうちの少なくとも１つを用いることにより送信される信号を受信するように構成される、第１の無線周波数ユニット
を備え、
プロセッサであって、前記Ｎ個の検出対象無線周波数チャネルに接続され、各検出対象無線周波数チャネルを用いることにより受信される前記信号に基づいて、前記Ｎ個の検出対象無線周波数チャネルと前記Ｎ個のアンテナとの間の接続関係を判断するように構成される、プロセッサ
をさらに備える無線周波数チャネル接続検出装置。
【請求項１１】
前記プロセッサはさらに、
各検出対象無線周波数チャネルを用いることにより受信される前記信号に基づいて、前記Ｎ個の検出対象無線周波数チャネルのうちの少なくとも１つと前記Ｎ個の基準無線周波数チャネルのうちの少なくとも１つとの間の接続関係を判断し、
前記Ｎ個の検出対象無線周波数チャネルのうちの前記少なくとも１つと前記Ｎ個の基準無線周波数チャネルのうちの前記少なくとも１つとの間の前記接続関係に基づいて、前記Ｎ個の検出対象無線周波数チャネルと前記Ｎ個のアンテナとの間の前記接続関係を判断する
ように構成される、
請求項１０に記載の無線周波数チャネル接続検出装置。
【請求項１２】
基準無線周波数ユニットであって、前記Ｎ個の基準無線周波数チャネルを有し、
前記Ｎ個の基準無線周波数チャネルは、信号を順次送信するように構成され、
前記Ｎ個の検出対象無線周波数チャネルのうちの各々はさらに、前記Ｎ個の基準無線周波数チャネルを用いることにより送信される前記信号を順次受信するように構成される、
基準無線周波数ユニット
をさらに備える、請求項１０または１１に記載の無線周波数チャネル接続検出装置。
【請求項１３】
前記プロセッサは、
前記基準無線周波数チャネルを用いることにより送信され、各検出対象無線周波数チャネルを用いることにより受信される信号の信号強度に基づいて、前記Ｎ個の検出対象無線周波数チャネルのうちの１つと前記Ｎ個の基準無線周波数チャネルのうちの１つとの間の接続関係を判断するように構成され、
受信される信号が最も強い信号強度を有する検出対象無線周波数チャネルが、前記基準無線周波数チャネルに接続され、前記検出対象無線周波数チャネルは、前記基準無線周波数チャネルに接続されたアンテナに接続される、
請求項１２に記載の無線周波数チャネル接続検出装置。
【請求項１４】
基準無線周波数ユニットであって、前記Ｎ個の基準無線周波数チャネルを有し、
前記Ｎ個の基準無線周波数チャネルは、信号を同時に送信するように構成され、前記Ｎ個の基準無線周波数チャネルのうちのいずれか１つを用いることにより送信される信号の特徴が、前記Ｎ個の基準無線周波数チャネルのうちの別の１つを用いることにより送信される信号の特徴とは異なり、
前記Ｎ個の検出対象無線周波数チャネルのうちの各々は、前記Ｎ個の基準無線周波数チャネルを用いることにより同時に送信される前記信号を受信するように構成される、
基準無線周波数ユニット
をさらに備える、請求項１０または１１に記載の無線周波数チャネル接続検出装置。
【請求項１５】
前記プロセッサは、
各検出対象無線周波数チャネルを用いることにより受信される前記信号のうち同じ特徴を有する信号の信号強度に基づいて、前記Ｎ個の検出対象無線周波数チャネルのうちの１つと前記Ｎ個の基準無線周波数チャネルのうちの１つとの間の接続関係を判断するように構成され、
検出対象無線周波数チャネルであって、前記検出対象無線周波数チャネルを用いることにより、前記同じ特徴を有する前記信号のうち最も強い信号強度を有する信号が受信される、検出対象無線周波数チャネルが、前記基準無線周波数チャネルに接続され、前記検出対象無線周波数チャネルは、前記基準無線周波数チャネルに接続されたアンテナに接続される、
請求項１４に記載の無線周波数チャネル接続検出装置。
【請求項１６】
ベースバンドユニットをさらに備え、
前記ベースバンドユニットは、前記プロセッサと、メモリと、通信インタフェースとを有し、前記ベースバンドユニットは、前記通信インタフェースを用いることにより前記Ｎ個の検出対象無線周波数チャネルに接続され、前記メモリは、前記プロセッサに結合され、前記プロセッサにより実行されるプログラムおよび／または命令を格納するように構成され、
前記通信インタフェースは、各検出対象無線周波数チャネルにより送信される信号を受信するように構成され、
各検出対象無線周波数チャネルはさらに、受信された前記信号を前記ベースバンドユニットへ送信するように構成される、
請求項１０から１５のいずれか一項に記載の無線周波数チャネル接続検出装置。
【請求項１７】
前記第１の無線周波数ユニットは、パッシブ無線周波数ユニットである、請求項１０から１６のいずれか一項に記載の無線周波数チャネル接続検出装置。
【請求項１８】
前記基準無線周波数ユニットは、アクティブ無線周波数ユニットまたはパッシブ無線周波数ユニットである、請求項１２から１５のいずれか一項に記載の無線周波数チャネル接続検出装置。
【請求項１９】
前記Ｎ個の基準無線周波数チャネルと、前記Ｎ個の検出対象無線周波数チャネルとが、同じベースバンドユニットに接続される、請求項１０から１８のいずれか一項に記載の無線周波数チャネル接続検出装置。
【手続補正２】
【補正対象書類名】明細書
【補正対象項目名】全文
【補正方法】変更
【補正の内容】
【発明の詳細な説明】
【技術分野】
【０００１】
本願は、アンテナ技術分野に関し、特に、無線周波数チャネル接続検出方法および無線周波数チャネル接続検出装置に関する。
【背景技術】
【０００２】
既存の無線通信ネットワークでは、アクティブアンテナユニット（ａｃｔｉｖｅ  ａｎｔｅｎｎａ  ｕｎｉｔ、ＡＡＵ）が通常、複数の共通アンテナを置き換えて場所の選択および特性の調整における難しさを低減するために用いられる。加えて、７０％の空間が節約される場合に３０％から７０％の容量利得を取得するために、クラスタケーブル設計が用いられる。ＡＡＵは、アンテナユニット（ａｎｔｅｎｎａ  ｕｎｉｔ、ＡＵ）およびアクティブ無線周波数ユニット（ｒａｄｉｏ  ｕｎｉｔ、ＲＵ）を含む。アクティブ無線周波数ユニットは、アクティブモジュールとも称されてよく、アンテナユニットは、アンテナモジュールとも称されてよい。アンテナユニットのポートの数は、より多くの無線周波数モジュールに接続すべく内部統合コンバイナを用いることにより拡張され得る。例えば、増えたポートが、アクティブ無線周波数ユニットに接続するように構成されたアクティブポートと、例えば遠隔無線ユニット（ｒｅｍｏｔｅ  ｒａｄｉｏ  ｕｎｉｔ、ＲＲＵ）といったパッシブ無線ユニットに接続するように構成されたパッシブポートとを含み得る。特定の構造が図１および図２に示される。複数のアンテナが用いられる場合、異なる無線周波数チャネル上の信号の振幅および位相が調節される。アクティブＲＵの無線周波数チャネルとアンテナユニットにおける各アンテナとの間の接続関係およびパッシブＲＵの無線周波数チャネルとアンテナユニットにおける各アンテナとの間の接続関係が判断される必要がある。言い換えると、アクティブＲＵの無線周波数チャネルとパッシブＲＵの無線周波数チャネルとの間の対応関係も判断される必要がある。実際のオペレーションでは、ＡＡＵのアクティブＲＵとＡＡＵのアンテナポートとの間の接続関係が、生成中に確立され得る。従って、当該接続関係は、判断および補正される。しかしながら、パッシブＲＵ（例えば、ＲＲＵ）の無線周波数チャネルがアクティブポートに接続される場合には通常、手動操作が必要とされる。この場合、無線周波数チャネルおよびアンテナユニットは、間違って接続され得る。パッシブＲＵ（ＲＲＵ）とアンテナユニットとの間のケーブルが間違ったシーケンスで接続されている場合、ビームフォーミングは、不正確であるか、または間違ってさえいる。結果的に、図３に示されるように、ネットワークのカバレッジが変わり、ネットワークの性能が低下する。
【０００３】
パッシブＲＵ（ＲＲＵ）とアクティブアンテナユニット（ＡＡＵ）のアンテナユニット（ＡＵ）との間のケーブルが間違ったシーケンスで接続されており、接続シーケンスが補正される必要がある場合、間違って接続されているケーブルをメンテナンス人員が迅速に判断できず、構築効率が保証され得ない。
【発明の概要】
【０００４】
本願の実施形態は、無線周波数チャネルとアンテナとの間の接続モードを検出することにより現場での二次的な構築の難しさを低減して構築効率を改善すべく、無線周波数チャネル接続検出方法および無線周波数チャネル接続検出装置を提供する。
【０００５】
本願の第１の態様は、無線周波数チャネル接続検出方法を提供する。
方法は、
Ｎ個の検出対象無線周波数チャネルのうちの各々を用いることにより、Ｎ個の基準無線周波数チャネルのうちの少なくとも１つを用いることにより送信される信号を受信する段階であって、Ｎは、２よりも大きいかまたはそれに等しい整数である、受信する段階と、
各検出対象無線周波数チャネルを用いることにより受信される信号に基づいて、Ｎ個の検出対象無線周波数チャネルとＮ個のアンテナとの間の接続関係を判断する段階であって、Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、検出対象無線周波数チャネルは、異なる基準無線周波数チャネルおよび異なるアンテナに接続される、判断する段階と
を含む。任意選択で、Ｎ個の検出対象無線周波数チャネルは、第１の無線周波数ユニットに属する。任意選択で、Ｎ個の基準無線周波数チャネルは、基準無線周波数ユニットに属する。任意選択で、Ｎ個の検出対象無線周波数チャネルとＮ個のアンテナとの間の接続関係を判断する段階は、第１の無線周波数ユニットにより実行されてもよく、別の装置またはデバイス、例えば、Ｎ個の検出対象無線周波数チャネルに接続されたベースバンドユニットにより実行されてもよい。本願の本実施形態において、検出対象無線周波数チャネルとアンテナとの間の接続関係が間違っており、二次的な構築が実行される必要がある場合、現場での二次的な構築の難しさを低減して構築効率を改善するために、接続関係の構成中に存在する誤差が自動的に検出され得る。
【０００６】
本願の実施形態の第１の態様の第１の実装において、各検出対象無線周波数チャネルを用いることにより受信される信号に基づいて、Ｎ個の検出対象無線周波数チャネルとＮ個のアンテナとの間の接続関係を判断する段階は、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する段階と、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する段階と
を含む。
【０００７】
本願の実施形態の第１の態様の第２の実装の可能な設計において、方法は、
Ｎ個の基準無線周波数チャネルを用いることにより信号を順次送信する段階
をさらに含み、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階は、
第１の無線周波数ユニットが、Ｎ個の検出対象無線周波数チャネルのうちの各々を用いることにより、Ｎ個の基準無線周波数チャネルを用いることにより送信される信号を順次受信する段階
を含む。いくつかのシナリオでは、異なる基準無線周波数チャネルを用いることにより信号が順次送信される検出方式で、信号を送信する回数を低減できる。例えば、Ｎ個の検出対象無線周波数チャネルとＮ個のアンテナとの間の接続関係は、Ｎ個またはＮ−１個の基準無線周波数チャネルを用いることにより当該信号が送信された後にのみ、判断され得る。Ｎ個の検出対象無線周波数チャネルのうちのいくつかが正しく接続されていると判断された場合、正しく接続されている検出対象無線周波数チャネルのいくつかに対して信号を送信するために、いくつかの基準無線周波数チャネルがさらに選択され得る。加えて、別個の基準無線周波数チャネル上で信号を送信することで信号間の干渉を低減でき、これにより、検出対象無線周波数チャネル上での信号の強度がより正確に判断される。
【０００８】
可能な設計において、本願の実施形態の第１の態様の第３の実装では、各検出対象無線周波数チャネルを用いることにより受信される信号に基づいて、Ｎ個の検出対象無線周波数チャネルとＮ個のアンテナとの間の接続関係を判断する段階は、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断する段階であって、受信される信号が最も強い信号強度を有する検出対象無線周波数チャネルが、基準無線周波数チャネルに接続され、検出対象無線周波数チャネルは、基準無線周波数チャネルに接続されたアンテナに接続される、判断する段階
を含む。信号強度に基づいて無線周波数チャネルの間の接続関係が判断される場合、信号処理プロセスが簡略化され、検出方法は、より単純になり、実装がより容易になる。
【０００９】
可能な設計において、本願の実施形態の第１の態様の第４の実装では、方法は、
Ｎ個の基準無線周波数チャネルを用いることにより信号を同時に送信する段階であって、Ｎ個の基準無線周波数チャネルのうちのいずれか１つを用いることにより送信される信号の特徴が、Ｎ個の基準無線周波数チャネルのうちの別の１つを用いることにより送信される信号の特徴とは異なる、送信する段階
をさらに含み、
第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階は、
第１の無線周波数ユニットが、Ｎ個の検出対象無線周波数チャネルのうちの各々を用いることにより、Ｎ個の基準無線周波数チャネルを用いることにより同時に送信される信号を受信する段階
を含む。Ｎ個の基準無線周波数チャネルを用いることにより信号が同時に送信される場合、抽出に必要とされる時間を短縮でき、検出効率を改善できる。
【００１０】
可能な設計において、本願の実施形態の第１の態様の第５の実装では、各検出対象無線周波数チャネルを用いることにより受信される信号に基づいて、Ｎ個の検出対象無線周波数チャネルとＮ個のアンテナとの間の接続関係を判断する段階は、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断する段階であって、検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される、判断する段階
を含む。
【００１１】
可能な設計において、本願の実施形態の第１の態様の第６の実装では、第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される信号を受信する段階の後に、方法は、
第１の無線周波数ユニットが、各検出対象無線周波数チャネルを用いることにより受信される信号を、第１の無線周波数ユニットに接続されたベースバンドユニットへ送信する段階
をさらに含み、
各検出対象無線周波数チャネルを用いることにより受信される信号に基づいて、Ｎ個の検出対象無線周波数チャネルとＮ個のアンテナとの間の接続関係を判断する段階は、
ベースバンドユニットが、各検出対象無線周波数チャネルを用いることにより受信される信号に基づいて、Ｎ個の検出対象無線周波数チャネルとＮ個のアンテナとの間の接続関係を判断する段階
を含む。
【００１２】
可能な設計において、本願の実施形態の第１の態様の第７の実現形態では、基準無線周波数ユニットは、アクティブ無線周波数ユニットであり、第１の無線周波数ユニットは、パッシブ無線周波数ユニットであり、または、
基準無線周波数ユニットおよび第１の無線周波数ユニットの両方がパッシブ無線周波数ユニットである。本願の実施形態は、任意のタイプの無線周波数ユニットが組み合わされて同じアンテナユニットに接続されるシナリオに適用され得る。
【００１３】
可能な設計において、本願の実施形態の第１の態様の第８の実装形態では、基準無線周波数ユニットおよび第１の無線周波数ユニットは、同じベースバンドユニットに接続される。基準無線周波数ユニットおよび第１の無線周波数ユニットが同じベースバンドユニットに接続される場合、ベースバンドユニットは、基準無線周波数チャネル上での信号の送信と、検出対象無線周波数チャネル上での信号の受信と、検出対象無線周波数チャネルとアンテナとの間の接続関係とを簡便に制御し得る。当然ながら、基準無線周波数ユニットおよび第１の無線周波数ユニットも異なるベースバンドユニットに接続され得る。この場合、ベースバンドユニットは、検出対象無線周波数チャネルとアンテナとの間の接続関係を検出するために、互いに通信して信号送信シーケンスおよび信号受信結果などのメッセージを転送する必要がある。
【００１４】
本願の第２の態様は、Ｎ個の検出対象無線周波数チャネルを含む無線周波数チャネル接続検出装置を提供する。
Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続され、
検出対象無線周波数チャネルは、異なる基準無線周波数チャネルおよび異なるアンテナに接続され、Ｎは、２よりも大きいかまたはそれに等しい整数であり、Ｎ個の検出対象無線周波数チャネルのうちの各々は、Ｎ個の基準無線周波数チャネルのうちの少なくとも１つを用いることにより送信される信号を受信するように構成され、
無線周波数チャネル接続検出装置は、プロセッサであって、Ｎ個の検出対象無線周波数チャネルに接続され、各検出対象無線周波数チャネルを用いることにより受信される信号に基づいて、Ｎ個の検出対象無線周波数チャネルとＮ個のアンテナとの間の接続関係を判断するように構成される、プロセッサをさらに含む。任意選択で、無線周波数チャネル接続検出装置は、第１の無線周波数ユニットを含み、Ｎ個の検出対象無線周波数チャネルは、第１の無線周波数ユニットに属する。プロセッサは、第１の無線周波数ユニット内に配置されてもよく、独立したコンポーネントまたはモジュールとしてデプロイされてもよく、無線周波数チャネルとアンテナとの間の接続関係を検出するように構成された別のコンポーネントまたは装置内にデプロイされてもよく、例えば、特別に無線周波数チャネルへの接続を検出するように構成されたツールデバイス内にデプロイされてもよく、Ｎ個の検出対象無線周波数チャネルに接続されたベースバンドユニット内にデプロイされてもよい。本願の本実施形態において、検出対象無線周波数チャネルとアンテナとの間の接続関係が間違っており、二次的な構築が実行される必要がある場合、現場での二次的な構築の難しさを低減して構築効率を改善するために、接続関係の構成中に存在する誤差が自動的に検出され得る。
【００１５】
可能な設計において、本願の実施形態の第２の態様の第１の実装では、プロセッサはさらに、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断し、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する
ように構成される。
【００１６】
可能な設計において、本願の実施形態の第２の態様の第２の実装では、無線周波数チャネル接続検出装置は、Ｎ個の基準無線周波数チャネルをさらに含み、Ｎ個の基準無線周波数チャネルは、信号を順次送信するように構成され、Ｎ個の検出対象無線周波数チャネルのうちの各々はさらに、Ｎ個の基準無線周波数チャネルを用いることにより送信される信号を順次受信するように構成される。任意選択で、無線周波数チャネル接続検出装置は、基準無線周波数ユニットを含み、Ｎ個の基準無線周波数チャネルは、基準無線周波数ユニットに属する。
【００１７】
可能な設計において、本願の実施形態の第２の態様の第３の実装では、プロセッサは、具体的には、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断するように構成され、受信される信号が最も強い信号強度を有する検出対象無線周波数チャネルが、基準無線周波数チャネルに接続され、検出対象無線周波数チャネルは、基準無線周波数チャネルに接続されたアンテナに接続される。
【００１８】
可能な設計において、本願の実施形態の第２の態様の第４の実装では、無線周波数チャネル接続検出装置は、Ｎ個の基準無線周波数チャネルを有し、
Ｎ個の基準無線周波数チャネルは、信号を同時に送信するように構成され、Ｎ個の基準無線周波数チャネルのうちのいずれか１つを用いることにより送信される信号の特徴が、Ｎ個の基準無線周波数チャネルのうちの別の１つを用いることにより送信される信号の特徴とは異なり、
Ｎ個の検出対象無線周波数チャネルのうちの各々は、具体的には、Ｎ個の基準無線周波数チャネルを用いることにより同時に送信される信号を受信するように構成される、
基準無線周波数ユニット
をさらに含む。任意選択で、無線周波数チャネル接続検出装置は、基準無線周波数ユニットを含み、Ｎ個の基準無線周波数チャネルは、基準無線周波数ユニットに属する。
【００１９】
可能な設計において、本願の実施形態の第２の態様の第５の実装では、プロセッサは、具体的には、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断するように構成され、
検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される。
【００２０】
可能な設計において、本願の実施形態の第２の態様の第６の実装では、無線周波数チャネル接続検出装置は、ベースバンドユニットをさらに含み、
ベースバンドユニットは、プロセッサと、メモリと、通信インタフェースとを含み、ベースバンドユニットは、通信インタフェースを用いることによりＮ個の検出対象無線周波数チャネルに接続され、メモリは、プロセッサに結合され、プロセッサにより実行されるプログラムおよび／または命令を格納するように構成され、
通信インタフェースは、各検出対象無線周波数チャネルにより送信される信号を受信するように構成され、
各検出対象無線周波数チャネルはさらに、受信された信号をベースバンドユニットへ送信するように構成される。
【００２１】
可能な設計において、本願の実施形態の第２の態様の第７の実現形態では、第１の無線周波数ユニットは、パッシブ無線周波数ユニットである。
【００２２】
可能な設計において、本願の実施形態の第２の態様の第８の実装形態では、基準無線周波数ユニットは、アクティブ無線周波数ユニットまたはパッシブ無線周波数ユニットである。
【００２３】
可能な設計において、本願の実施形態の第２の態様の第９の実装では、Ｎ個の基準無線周波数チャネルと、Ｎ個の検出対象無線周波数チャネルとは、同じベースバンドユニットに接続される。
【００２４】
本願の第３の態様は、コンピュータ可読記憶媒体を提供する。コンピュータ可読記憶媒体は、命令を格納する。命令がコンピュータ上で実行された場合、コンピュータは、前述の態様による方法を実行するように構成される。
【００２５】
本願の第４の態様は、命令を含むコンピュータプログラム製品を提供する。コンピュータプログラム製品がコンピュータ上で実行された場合、コンピュータは、前述の態様による方法を実行するように構成される。
【００２６】
本願の実施形態において提供される技術的解決手段では、Ｎ個の基準無線周波数チャネルのうちの少なくとも１つを用いることにより送信される１または複数の信号は、Ｎ個の検出対象無線周波数チャネルのうちの各々を用いることにより受信され、Ｎは、２よりも大きいかまたはそれに等しい整数であり、Ｎ個の検出対象無線周波数チャネルとＮ個のアンテナとの間の接続関係は、各検出対象無線周波数チャネルを用いることにより受信される信号に基づいて判断され、Ｎ個の検出対象無線周波数チャネルのうちのいずれか１つと、Ｎ個の基準無線周波数チャネルのうちの１つとは、コンバイナ装置を用いることによりＮ個のアンテナのうちの１つに接続され、検出対象無線周波数チャネルは、異なる基準無線周波数チャネルおよび異なるアンテナに接続される。本願の実施形態において、無線周波数チャネルとアンテナとの間の接続関係が間違っており、二次的な構築が実行される必要がある場合、現場での二次的な構築の難しさを低減して構築効率を改善するために、接続関係の構成中に存在する誤差が自動的に検出され得る。
【図面の簡単な説明】
【００２７】
【図１】本願の実施形態によるアクティブアンテナユニットとパッシブ無線周波数ユニットとの間の接続の概略図である。
【００２８】
【図２】本願の実施形態によるアクティブアンテナユニットとパッシブ無線周波数ユニットとの間の接続の概略図である。
【００２９】
【図３】本願の実施形態によるビームカバレッジ範囲の変化の概略図である。
【００３０】
【図４】本願の実施形態による無線周波数チャネル接続検出方法の適用シナリオの概略図である。
【００３１】
【図５】本願の実施形態による異なる無線周波数チャネルを用いることにより異なる周波数帯域の信号が別々に処理される概略図である。
【００３２】
【図６】本願の実施形態による無線周波数チャネル接続検出方法の概略図である。
【００３３】
【図７】本願の実施形態による基準無線周波数チャネルと検出対象無線周波数チャネルとの接続の概略図である。
【００３４】
【図８】本願の実施形態による基準無線周波数チャネルと検出対象無線周波数チャネルとの別の接続の概略図である。
【００３５】
【図９】本願の実施形態による別の無線周波数チャネル接続検出方法の概略図である。
【００３６】
【図１０】本願の実施形態による基準無線周波数チャネルと検出対象無線周波数チャネルとの別の接続の概略図である。
【００３７】
【図１１】本願の実施形態による基準無線周波数チャネルと検出対象無線周波数チャネルとの別の接続の概略図である。
【００３８】
【図１２】本願の実施形態による無線周波数チャネル接続検出装置の概略図である。
【００３９】
【図１３】本願の実施形態による別の無線周波数チャネル接続検出装置の概略図である。
【００４０】
【図１４】本願の実施形態による別の無線周波数チャネル接続検出装置の概略図である。
【００４１】
【図１５】本願の実施形態によるベースバンドユニットの概略構造図である。
【発明を実施するための形態】
【００４２】
本願の実施形態は、無線周波数チャネルとアンテナとの間の接続モードを検出することにより現場での二次的な構築の難しさを低減して構築効率を改善すべく、無線周波数チャネル接続検出方法および無線周波数チャネル接続検出装置を提供する。
【００４３】
以下では、本願の実施形態における添付図面を参照して、本願の実施形態を説明する。
【００４４】
本願の明細書、特許請求の範囲および添付図面において、「第１の」という用語、「第２の」という用語、「第３の」という用語、「第４の」という用語等（存在する場合）は、同様の対象を区別するよう意図されているが、必ずしも特定の順序またはシーケンスを示していない。本明細書において説明する実施形態が、本明細書において例示または説明する内容以外の順序で実装され得るように、そのような態様で称されるデータは適切な状況において交換可能であることを理解されたい。加えて、「含む」という用語、「有する」という用語およびあらゆる他の変形は、非排他的な包含を含むことを意味し、例えば、段階またはユニットの列挙を含むプロセス、方法、システム、製品またはデバイスは、明確に列挙される段階またはユニットに必ずしも限定されるわけではないが、明示的に列挙されない、またはそのようなプロセス、方法、製品もしくはデバイスに固有の他の段階またはユニットを含み得る。
【００４５】
本願の実施形態は、図４に示される適用シナリオに適用され得る。この適用シナリオでは、アンテナユニット（ａｎｔｅｎｎａ  ｕｎｉｔ、ＡＵ）が、１または複数の無線周波数ユニット（ＲＵ）に接続される。アンテナユニットは、Ｎ個のアンテナを含み、Ｎは、２よりも大きいかまたはそれに等しい整数である。コンバイナを用いることにより、複数の無線周波数ユニットが、アンテナユニットのアンテナに別々に接続される。１つの無線周波数ユニットとアンテナユニットのアンテナとの間の接続関係が正しい場合、別の無線周波数ユニットとアンテナユニットのアンテナとの間の接続関係が正しいかどうかは、当該無線周波数ユニットについての接続関係に基づいて判断され得る。例えば、図４に示されるように、アンテナユニットは、第１の無線周波数ユニットおよび第２の無線周波数ユニットという２つの無線周波数ユニットに接続される。第１の無線周波数ユニットの各無線周波数チャネルが、アンテナユニットにおける各アンテナに接続され、第２の無線周波数ユニットの各無線周波数チャネルが、アンテナユニットにおける各アンテナに接続される。第１の無線周波数ユニットは、基準無線周波数ユニットであってよく、第２の無線周波数ユニットは、検出対象無線周波数ユニットであってよい。
【００４６】
異なる無線周波数ユニットが異なる周波数帯域の信号を処理し得ることに留意されたい。例えば、図５に示されるように、コンバイナが、第１の無線周波数チャネルグループおよび第２の無線周波数チャネルグループの両方に接続される。第１の無線周波数チャネルグループおよび第２の無線周波数チャネルグループは、異なる無線周波数ユニットに別々に属し得る。第１の無線周波数チャネルグループを含む第１の無線周波数ユニットが、１７１０ＭＨｚから１８８０ＭＨｚという周波数帯域の信号を処理してよく、第２の無線周波数チャネルグループを含む第２の無線周波数ユニットが、１９２０ＭＨｚから２６００ＭＨｚという周波数帯域の信号を処理してよく、これら２つの無線周波数ユニットに接続されたアンテナが、１７１０ＭＨｚから２６００ＭＨｚという周波数帯域の信号を受信してよい。第１の無線周波数チャネルグループが基準無線周波数チャネルであり、第２の無線周波数チャネルグループが検出対象無線周波数チャネルである場合、すなわち、基準無線周波数チャネルを用いることにより処理される無線周波数信号の周波数帯域が、検出対象無線周波数チャネルを用いることにより処理される無線周波数信号の周波数帯域とは異なる場合、本願の実施形態において提供される検出解決手段が用いられるときは、検出対象無線周波数チャネルおよび基準無線周波数チャネルを用いることにより処理されるこれらの周波数帯域は、同じになるように構成される必要がある。例えば、第２の無線周波数チャネルグループ（すなわち、検出対象無線周波数チャネル）を用いることにより処理される周波数帯域は、第１の無線周波数チャネルグループによりサポートされる周波数帯域（すなわち、基準無線周波数チャネル）、すなわち、１７１０ＭＨｚから１８８０ＭＨｚという周波数帯域と同じになるように設定される。具体的には、検出対象無線周波数ユニットは、パッシブ無線周波数ユニットであってよく、基準無線周波数ユニットは、パッシブ無線周波数ユニットまたはアクティブ無線周波数ユニットであってよい。図１および図２に示される適用シナリオでは、アクティブ無線周波数ユニットが基準無線周波数ユニットとして用いられてよく、外部無線周波数ユニットが検出対象無線周波数ユニットであってよい。外部無線周波数ユニットは、遠隔無線ユニット（ＲＲＵ）であってよい。
【００４７】
代替的に、接続関係が検出される必要がある無線周波数チャネルが、異なる検出対象無線周波数ユニットからもたらされてよく、基準無線周波数チャネルは、異なる無線周波数ユニットからもたらされてよいことが、理解され得る。この場合、本願の実施形態において提供される検出方法は、異なる無線周波数ユニットの間で情報を交換することにより、または、異なる無線周波数ユニットに接続された少なくとも１つのベースバンドユニットの制御を通じて、用いられ得る。説明を簡潔にするために、本願の実施形態では、全ての検出対象無線周波数チャネルが１つの検出対象無線周波数ユニットに属し、かつ、全ての基準無線周波数チャネルが１つの基準無線周波数ユニットの属す例が、説明のために用いられる。
【００４８】
理解しやすくするために、以下では、本願の実施形態における特定の手順を説明する。図６を参照すると、基準無線周波数チャネルを用いることにより測定信号が順次送信される場合、無線周波数チャネル接続検出装置は、第１の無線周波数ユニットを含む。本願の実施形態における無線周波数チャネル接続検出方法の実施形態は、以下の段階を含む。
【００４９】
６０１．基準無線周波数ユニットのＮ個の基準無線周波数チャネルのうちの少なくとも１つを用いることにより信号を送信する。
【００５０】
本実施形態および後続の実施形態における信号は、専用測定信号であってもよく、別の既存の信号、例えば、サービスデータを保持する信号、または基準信号であってもよいことに留意されたい。理解しやすくするために、本実施形態および後続の実施形態において、信号が測定信号である例が、説明のために用いられる。異なる実施形態における測定信号を区別するために、測定信号が順次送信されるシナリオでは、当該測定信号は、第１の測定信号と称され、測定信号が同時に送信されるシナリオでは、当該測定信号は、第２の測定信号と称される。本実施形態は、Ｎ個の基準無線周波数チャネルのうちのＭ個の基準無線周波数チャネルを用いることにより測定信号が順次送信されるシナリオに適用される。Ｍは、１よりも大きいかまたはそれに等しく、かつ、Ｎよりも小さいかまたはそれに等しい整数である。第１の測定信号を例として用いることにより、本実施形態における信号を説明する。
【００５１】
具体的には、第１の測定信号は、基準無線周波数ユニットのＭ個の基準無線周波数チャネルを用いることにより送信される。第１の測定信号は、Ｎ個の検出対象無線周波数チャネルとＮ個のアンテナとの間の接続関係を判断するために用いられる。具体的には、第１の測定信号は、基準無線周波数ユニットのＭ個の基準無線周波数チャネルを用いることにより、予め設定された送信シーケンスに従って順次送信され、送信された第１の測定信号は、第１の無線周波数ユニットの各検出対象無線周波数チャネルを用いることにより受信され得る。任意選択で、Ｍは、ＮまたはＮ−１に等しくてよい。具体的には、Ｎ個の検出対象無線周波数チャネルとＮ個のアンテナとの間の接続関係は、Ｎ個またはＮ−１個の基準無線周波数チャネルを用いることにより当該信号が送信された後にのみ、判断され得る。
【００５２】
Ｎ個の基準無線周波数チャネルのうちの各々は、コンバイナ装置を用いることにより１つの検出対象無線周波数チャネルに接続され、異なる基準無線周波数チャネルが、異なるかまたは同じ検出対象無線周波数チャネルに接続される。信号を送信するために基準無線周波数チャネルが用いられる場合、基準無線周波数チャネルを用いることにより送信される信号を定在波チャネルおよび無線周波数ループバック技術を用いることにより検出対象無線周波数チャネルの受信チャネルへループバックして当該信号を受信するために、基準無線周波数チャネルに接続された検出対象無線周波数チャネルが用いられ得る。この場合、検出対象無線周波数チャネルを用いることにより受信される信号の強度は比較的強い。無線周波数信号は空間放射という特徴を有しており、異なる無線周波数チャネルは完全には隔離され得ないので、信号が基準無線周波数チャネル上で送信される場合、送信される信号は、基準無線周波数チャネルに接続されていない検出対象無線周波数チャネル上でも受信される。具体的には、送信される信号は、干渉信号として別の検出対象無線周波数チャネルへ漏洩し、別の検出対象無線周波数チャネル上で受信される信号の強度は非常に弱い。
【００５３】
第１の測定信号は、各基準無線周波数チャネル上で送信される測定信号の一般的な名称である。本実施形態において、基準無線周波数チャネル上で送信される第１の測定信号の特徴は、同じであってもよく、異なってもよい。第１の測定信号は、順に送信される複数の測定信号のセットであり、基準無線周波数チャネルを用いることにより測定信号が同時に送信されるシナリオにおいて第２の測定信号を識別するために用いられる。当該信号の同じ特徴が、複数の形式で表され得る。例えば、第１の測定信号は、同じ直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルであってよく、または、第１の測定信号は、同じ基準シーケンスを用いることにより生成され、または、第１の測定信号は、同じ信号スクランブリング方式を用いる。当該信号の異なる特徴も、複数の形式で表され得る。別の例では、第１の測定信号は、異なる直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルであってよく、または、第１の測定信号は、異なる基準シーケンスを用いることにより生成され、または、第１の測定信号は、異なる信号スクランブリング方式を用いる。このことは、本明細書において具体的に限定されない。本実施形態および後続の実施形態において、第１の無線周波数ユニットは、パッシブ無線周波数ユニットであり、基準無線周波数ユニットは、アクティブ無線周波数ユニットまたはパッシブ無線周波数ユニットであってよい。説明しやすくするために、本実施形態および後続の実施形態において、基準無線周波数ユニットがアクティブ無線周波数ユニットであり、第１の無線周波数ユニットがパッシブ無線周波数ユニットである例が、説明のために用いられる。本実施形態および後続の実施形態において、基準無線周波数ユニットがアクティブアンテナユニット（ＡＡＵ）のアクティブ無線周波数ユニットであり、第１の無線周波数ユニットが第１の無線遠隔ユニット（ＲＲＵ）である例が、説明のために用いられる。
【００５４】
例えば、ＡＡＵのアクティブ無線周波数ユニットが、予め設定された送信シーケンスに従って第１の測定信号を順次送信するプロセスでは、予め設定された送信シーケンスは、ベンダにより設定されるデフォルトシーケンスであってよく、例えば、基準無線周波数チャネルには、上から下へかつ左から右へ番号が付され、または、予め設定された送信シーケンスは、製品のインストール中にスタッフにより設定されるテストシーケンスであってよく、送信チャネルにはランダムに番号が付される。例えば、Ｎ＝Ｍ＝４である。４つの基準無線周波数チャネルが存在する場合、４つの基準無線周波数チャネルには、ベンダにより設定されるデフォルトシーケンスで、１から４という番号が順次付される。検出プロセスにおいて、１番目の第１の測定信号がまず、基準無線周波数チャネル１を用いることにより送信され得る。基準無線周波数チャネル１上での送信が完了した後に、２番目の第１の測定信号が、基準無線周波数チャネル２を用いることにより送信される。このプロセスは、第１の測定信号が、４つの基準無線周波数チャネルの全てを用いることにより送信されるまで、繰り返される。当該チャネルを用いることにより第１の測定信号が送信される時間間隔が、実際の条件に基づいて設定され得る。このことは、本明細書において具体的に限定されない。基準無線周波数チャネルの数は、代替的に、別の値であってよく、例えば、６または８であってよい。このことは、本明細書において具体的に限定されない。
【００５５】
Ｎ個の基準無線周波数チャネルは、基準無線周波数ユニットの全てのチャネルまたは基準無線周波数ユニットのいくつかのチャネルであってよいことにさらに留意されたい。このことは、本明細書において具体的に限定されない。
【００５６】
任意選択で、Ｎ個の基準無線周波数チャネルのうちのＭ個を用いることによる信号の順次送信は、巡回判断方式で実装され得る。具体的には、信号を送信するために１つの基準無線周波数チャネルが用いられる度に、第１の測定信号の送信がＭ個の基準無線周波数チャネルの全てで完了しているかどうかが判断される。第１の測定信号の送信が完了している場合、基準無線周波数チャネル上での信号送信は終了しており、第１の測定信号の送信が完了していない場合、信号送信は次の基準無線周波数チャネル上で続けられる。
【００５７】
任意選択で、予め設定された時間閾値が満たされている場合、第１の測定信号の送信がＭ個の基準無線周波数チャネルの全てで完了しているかどうかが判断される。第１の測定信号の送信がＭ個の基準無線周波数チャネルの全てで完了している場合、段階６０２が実行される。第１の測定信号の送信がＭ個の基準無線周波数チャネルの全てで完了していない場合、信号送信は次の基準無線周波数チャネル上で続けられる。
【００５８】
Ｎ個の基準無線周波数チャネルのうちのＭ個を用いることにより第１の測定信号が順次送信されるシナリオでは、測定信号の送信がＮ個の基準無線周波数チャネルのうちのＮ−１個で完了した後に残りのただ１つの基準無線周波数チャネルと検出対象無線周波数チャネルとの間の接続関係が判断され得ることが、理解され得る。従って、測定信号は、最後の基準無線周波数チャネルを用いることによっては送信され得ない。実際の適用では、測定信号は、最後の基準無線周波数チャネルを用いることにより、送信されてもよく、送信されなくてもよい。このことは、本明細書において具体的に限定されない。
【００５９】
６０２．第１の無線周波数ユニットが、Ｎ個の検出対象無線周波数チャネルのうちの各々を用いることにより、基準無線周波数ユニットのＮ個の基準無線周波数チャネルのうちの少なくとも１つを用いることにより送信される１または複数の信号を受信する。
【００６０】
第１の無線周波数ユニットは、Ｎ個の検出対象無線周波数チャネルのうちの各々を用いることにより、基準無線周波数ユニットのＮ個の基準無線周波数チャネルのうちの少なくとも１つを用いることにより送信される第１の測定信号を受信する。第１の無線周波数ユニットのＮ個の検出対象無線周波数チャネルの数は、Ｎ個の基準無線周波数チャネルの数と同じである。例えば、第１の無線周波数ユニットの検出対象無線周波数チャネルの数が４である、すなわち、Ｎが４である場合、基準無線周波数チャネルの数も４である、すなわち、Ｎも４である。
【００６１】
例えば、第１の測定信号は、予め設定された送信シーケンスに従って順次送信されるので、第１の測定信号はまた、検出対象無線周波数チャネルを用いることにより順次受信される。例えば、それぞれ１から４という番号が付された４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。第１の測定信号の空間放射などの特徴に起因して、無線周波数チャネル間には干渉が発生する。具体的には、検出対象無線周波数チャネル１に接続された基準無線周波数チャネル１を用いることにより送信される第１の測定信号に加え、別の基準無線周波数チャネル（干渉経路）を用いることにより送信される第１の測定信号を受信するために、第１の無線遠隔ユニットの検出対象無線周波数チャネル１がさらに用いられる。例えば、第１の測定信号を送信するために基準無線周波数チャネル１が用いられる場合において、検出対象無線周波数チャネル１が基準無線周波数チャネル１に接続されるときは、当該信号は、定在波チャネルと、基準無線周波数チャネル１に接続されていない検出対象無線周波数チャネル（検出対象無線周波数チャネル２、空間放射等に起因して、送信された第１の測定信号（すなわち、干渉信号）は、検出対象無線周波数チャネル３および検出対象無線周波数チャネル４上で受信される）とを用いることにより、検出対象無線周波数チャネル１へループバックされ得る。干渉信号の特徴は、第１の測定信号のものと同じであり、干渉信号の強度は、検出対象無線周波数チャネル１を用いることにより受信される第１の測定信号のものよりも弱い。
【００６２】
例えば、第１の無線周波数ユニットは、第１の無線遠隔ユニットであり、基準無線周波数ユニットは、ＡＡＵのアクティブ無線周波数ユニット（ＲＵ）であり、アクティブ無線周波数ユニットのチャネルを用いることにより送信される第１の測定信号を順次受信するために、第１の無線遠隔ユニットのＮ個の検出対象無線周波数チャネルが用いられる。当該基準無線周波数チャネルを用いることにより毎回送信される第１の測定信号が同じ特徴を有するかどうかにかかわらず、第１の測定信号は順に送信されるので、Ｎ個の検出対象無線周波数チャネルを用いることにより同時に受信される第１の測定信号は、同じ特徴を有するが、異なる信号強度を有する。基準無線周波数チャネルに接続された検出対象無線周波数チャネル上の信号が最も強い強度を有し、別の検出対象無線周波数チャネルにより受信される第１の測定信号は、当該信号の空間放射などの特徴に起因して弱い信号強度を有するので、干渉信号と定義され得る。
【００６３】
図５に示される第１の無線周波数チャネルグループおよび第２の無線周波数チャネルグループにおいて、異なるチャネルの受信周波数帯域が異なる場合、本願の実施形態における方法を実装するために、本実施形態および後続の実施形態では、検出対象無線周波数チャネルの受信周波数帯域が、基準無線周波数チャネルにより送信される信号が受信され得る周波数帯域に設定され得ることが理解され得る。
【００６４】
６０３．各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００６５】
第１の無線周波数ユニットは、各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００６６】
具体的には、第１の無線遠隔ユニットが４つの検出対象無線周波数チャネルを含む場合、第１の無線遠隔ユニットの４つの検出対象無線周波数チャネルを用いることにより第１の測定信号が毎回受信された後に、第１の無線遠隔ユニットは、４つの検出対象無線周波数チャネルを用いることにより受信される第１の測定信号の信号強度に基づいて、受信される信号が最も強い強度を有する検出対象無線周波数チャネルが、第１の測定信号が毎回送信される基準無線周波数チャネルに接続された検出対象無線周波数チャネルであると判断する。
【００６７】
本実施形態において、ただ１つの基準無線周波数チャネルは、第１の測定信号を毎回送信するために用いられることに留意されたい。従って、基準無線周波数チャネルと検出対象無線周波数チャネルとの間の１つの接続関係が、毎回判断され得る。
【００６８】
例えば、４つの基準無線周波数チャネルおよび４つの検出対象無線周波数チャネルが存在する。一般性を失うことなく、検出対象無線周波数チャネルｉと基準無線周波数チャネルｉとの間の接続関係は正しい。ｉ＝１、２、３または４である。第１の測定信号を送信するために基準無線周波数チャネル１が用いられる場合、基準無線周波数チャネル１は、ターゲット基準無線周波数チャネルであり、基準無線周波数チャネル１を用いることにより送信される第１の測定信号は、ターゲット測定信号である。ターゲット測定信号またはターゲット測定信号の干渉信号は、第１の無線遠隔ユニットの４つの検出対象無線周波数チャネルを用いることにより受信される。検出対象無線周波数チャネル１から検出対象無線周波数チャネル４上での信号強度が比較される。検出対象無線周波数チャネル１上での信号強度が最も強い場合、検出対象無線周波数チャネル１を用いることにより受信される信号が、ターゲット測定信号と判断され、検出対象無線周波数チャネル２から検出対象無線周波数チャネル４を用いることにより受信される信号が、干渉信号と判断され、ターゲット測定信号を受信するために用いられる検出対象無線周波数チャネル１が、ターゲット検出対象無線周波数チャネルと判断される。ターゲット検出対象無線周波数チャネルは、ターゲット基準無線周波数チャネルに対応する。すなわち、図７に示されるように、検出対象無線周波数チャネル１は、これに応じて、基準無線周波数チャネル１に接続される。別の例では、第１の測定信号を送信するために基準無線周波数チャネル１が用いられる場合、基準無線周波数チャネル１は、ターゲット基準無線周波数チャネルであり、基準無線周波数チャネル１を用いることにより送信される第１の測定信号は、ターゲット測定信号であり、第１の無線遠隔ユニットの４つの受信チャネルは、ターゲット測定信号またはターゲット測定信号の干渉信号を受信するために用いられる。検出対象無線周波数チャネル１から検出対象無線周波数チャネル４上での信号強度が比較される。検出対象無線周波数チャネル２上での信号強度が最も強い場合、検出対象無線周波数チャネル２を用いることにより受信される信号が、ターゲット測定信号と判断され、検出対象無線周波数チャネル１、検出対象無線周波数チャネル３および検出対象無線周波数チャネル４を用いることにより受信される信号が、干渉信号と判断され、ターゲット測定信号を受信するために用いられる検出対象無線周波数チャネル２は、ターゲット検出対象無線周波数チャネルと判断される。ターゲット検出対象無線周波数チャネルは、ターゲット基準無線周波数チャネルに対応する。すなわち、図８に示されるように、検出対象無線周波数チャネル２は、これに応じて、基準無線周波数チャネル１に接続される。
【００６９】
６０４．Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【００７０】
第１の無線周波数ユニットは、Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【００７１】
具体的には、第１の無線周波数ユニットは、１つの基準無線周波数チャネルにより送信され、各検出対象無線周波数チャネルを用いることにより受信される第１の測定信号の信号強度に基づいて、Ｎ個の検出対象無線周波数チャネルのうちの１つとターゲット基準無線周波数チャネルとの間の接続関係を判断する。基準無線周波数チャネルは、ターゲット基準無線周波数チャネルである。受信される第１の測定信号が最も強い信号強度を有する検出対象無線周波数チャネルが、ターゲット基準無線周波数チャネルに接続され、当該検出対象無線周波数チャネルは、ターゲット基準無線周波数チャネルに接続されたアンテナに接続される。
【００７２】
例えば、４つの基準無線周波数チャネルおよび４つの検出対象無線周波数チャネルが存在する。第１の無線遠隔ユニットが４つの検出対象無線周波数チャネルを含む場合、４つの基準無線周波数チャネルは、別々に第１の測定信号を順に送信し、第１の測定信号は、合計で４回送信される。１つの検出対象無線周波数チャネルと１つの基準無線周波数チャネルとの間で毎回判断される接続関係に基づいて、４つの検出対象無線周波数チャネルと４つの基準無線周波数チャネルとの間の接続関係が判断される。１つの検出対象無線周波数チャネルが１つの基準無線周波数チャネルに接続され、１つの基準無線周波数チャネルが１つのアンテナに接続されるので、４つの検出対象無線周波数チャネルと４つのアンテナとの間の接続関係が判断され得る。
【００７３】
実現可能な実装において、Ｎ個の検出対象無線周波数チャネルがベースバンドユニット（ｂａｓｅｂａｎｄ  ｕｎｉｔ、ＢＢＵ）に接続され、Ｎ個の検出対象無線周波数チャネルとＮ個のアンテナとの間の接続関係を特に判断する動作が、ＢＢＵにより実行され得る。例えば、段階６０３および段階６０４は、代替的にベースバンドユニット（ＢＢＵ）により実行されてもよく、依然として第１の無線周波数ユニットにより実行されてもよい。
【００７４】
特定の判断動作がＢＢＵにより実行される場合、段階６０２と段階６０３との間に、受信された第１の測定信号を第１の無線周波数ユニットがＢＢＵへ送信する段階がさらに含まれることが理解され得る。
【００７５】
任意選択で：６０５．Ｎ個の検出対象無線周波数チャネルとＮ個のアンテナとの間の実際の接続関係が予め設定された接続関係と同じであるかどうかを判断する。
【００７６】
第１の無線周波数ユニット、または第１の無線周波数ユニットに接続されたＢＢＵは、Ｎ個の検出対象無線周波数チャネルとＮ個のアンテナとの間の実際の接続関係が予め設定された接続関係と同じであるかどうかを判断する。具体的には、第１の無線周波数ユニット、または第１の無線周波数ユニットに接続されたＢＢＵは、当該検出対象無線周波数チャネルと、当該検出対象無線周波数チャネルに対応する基準無線周波数チャネルとの間の実際の接続関係を、予め設定された接続関係（すなわち、当該検出対象無線周波数チャネルと当該基準無線周波数チャネルとの間の予め設定された正しい対応関係）と比較する。実際の接続関係が予め設定された接続関係とは異なる場合、段階６０６が実行される。実際の接続関係が予め設定された接続関係と同じである場合、段階６０７が実行される。
【００７７】
任意選択で：６０６．基準無線周波数ユニットと第１の無線周波数ユニットとの間の接続関係が間違っていると判断し、プロンプトを提供する。
【００７８】
第１の無線周波数ユニット、または第１の無線周波数ユニットに接続されたＢＢＵは、基準無線周波数ユニットと第１の無線周波数ユニットとの間の接続関係が間違っていると判断し、プロンプトを提供する。
【００７９】
任意選択で：６０７．基準無線周波数ユニットと第１の無線周波数ユニットとの間の接続関係が正しいと判断する。
【００８０】
第１の無線周波数ユニット、または第１の無線周波数ユニットに接続されたＢＢＵは、基準無線周波数ユニットと第１の無線周波数ユニットとの間の接続関係が正しいと判断する。
【００８１】
本願の本実施形態において、基準無線周波数ユニットが第１の無線周波数ユニットに接続される場合、基準無線周波数ユニットは、予め設定された送信シーケンスに従って第１の測定信号を順次送信し、第１の無線周波数ユニットが第１の測定信号を受信するプロセスにおいて、第１の無線周波数ユニットとアクティブＡＵとの間のケーブル接続関係が正しいかどうかが、調節に際してスタッフを支援するために検出される。これにより、現場での二次的な構築の難しさが低減し、構築効率が改善する。
【００８２】
図９を参照すると、本願の実施形態による別の無線周波数チャネル接続検出方法は、以下の段階を含む。
【００８３】
９０１．基準無線周波数ユニットのＮ個の基準無線周波数チャネルを用いることにより信号を同時に送信する。
【００８４】
当該信号が測定信号である例を用いることにより、本実施形態を説明する。本実施形態は、Ｎ個の基準無線周波数チャネルを用いることにより測定信号が同時に送信されるシナリオに適用される。本実施形態において、第２の測定信号が、説明のための例として用いられる。
【００８５】
具体的には、第２の測定信号を同時に送信するために基準無線周波数ユニットのＮ個の基準無線周波数チャネルが用いられ、Ｎ個の検出対象無線周波数チャネルとＮ個のアンテナとの間の接続関係を判断するために第２の測定信号が用いられる。具体的には、第２の測定信号を同時に送信するために基準無線周波数ユニットのＮ個の基準無線周波数チャネルが用いられ、送信された第２の測定信号は、第１の無線遠隔ユニットの各検出対象無線周波数チャネルを用いることにより受信され得る。
【００８６】
Ｎ個の基準無線周波数チャネルのうちの各々は、コンバイナ装置を用いることにより１つの検出対象無線周波数チャネルに接続され、異なる基準無線周波数チャネルが、異なるかまたは同じ検出対象無線周波数チャネルに接続される。信号を送信するために基準無線周波数チャネルが用いられる場合、基準無線周波数チャネルを用いることにより送信される信号を定在波チャネルおよび無線周波数ループバック技術を用いることにより検出対象無線周波数チャネルの受信チャネルへループバックして当該信号を受信するために、基準無線周波数チャネルに接続された検出対象無線周波数チャネルが用いられ得る。この場合、検出対象無線周波数チャネルを用いることにより受信される信号の強度は比較的強い。無線周波数信号は空間放射という特徴を有しており、異なる無線周波数チャネルは完全には隔離され得ないので、信号が基準無線周波数チャネル上で送信される場合、送信される信号は、基準無線周波数チャネルに接続されていない検出対象無線周波数チャネル上でも受信される。具体的には、送信される信号は、干渉信号として別の検出対象無線周波数チャネルへ漏洩し、別の検出対象無線周波数チャネル上で受信される信号の強度は非常に弱い。
【００８７】
第２の測定信号は、各基準無線周波数チャネル上で送信される測定信号の一般的な名称である。本実施形態において、基準無線周波数チャネル上で送信される第２の測定信号の特徴は異なる。第２の測定信号は、同時に送信される複数の測定信号のセットであり、基準無線周波数チャネルを用いることにより測定信号が順次送信されるシナリオにおいて第１の測定信号を識別するために用いられる。異なる特徴が、複数の形式で表され得る。例えば、第２の測定信号は、異なるＯＦＤＭシンボルであってよく、または、第２の測定信号は、異なる基準シーケンスを用いることにより生成され、または、第２の測定信号は、異なる信号スクランブリング方式を用いる。このことは、本明細書において具体的に限定されない。
【００８８】
例えば、ＡＡＵのアクティブ無線周波数ユニットが第２の測定信号を同時に送信するプロセスにおいて、基準無線周波数チャネルには、上から下へかつ左から右へ番号が付され、または、製品のインストール中にスタッフにより設定されるテストシーケンスが用いられ、基準無線周波数チャネルには、ランダムに番号が付される。例えば、Ｎ＝４である。４つの基準無線周波数チャネルが存在する場合、４つの基準無線周波数チャネルには、ベンダにより設定されるデフォルトシーケンスで、１から４という番号が順次付される。検出プロセスにおいて、第２の測定信号は、基準無線周波数チャネル１を用いることにより、基準無線周波数チャネル４へ同時に送信される。基準無線周波数チャネルの数は、代替的に、別の値であってよく、例えば、６、８または１０であってよい。このことは、本明細書において具体的に限定されない。
【００８９】
Ｎ個の基準無線周波数チャネルは、基準無線周波数ユニットの全てのチャネルまたは基準無線周波数ユニットのいくつかのチャネルであってよいことにさらに留意されたい。このことは、本明細書において具体的に限定されない。
【００９０】
任意選択で、本願において既知である「同時送信」は、特定の期間内に複数の無線周波数チャネルの全てで送信が完了していることであってよい。送信が同時に始まるかまたは終わることは、厳密には必要とされない。任意選択で、予め設定された時間閾値が満たされている場合、第２の測定信号の送信がＮ個の基準無線周波数チャネルの全てで完了しているかどうかが判断される。第２の測定信号の送信がＮ個の基準無線周波数チャネルの全てで完了している場合、段階９０２が実行される。第２の測定信号の送信がＮ個の基準無線周波数チャネルの全てで完了していない場合、各基準無線周波数チャネルを用いることにより、次の第２の測定信号が同時に送信される。
【００９１】
９０２．第１の無線周波数ユニットが、Ｎ個の検出対象無線周波数チャネルのうちの各々を用いることにより、基準無線周波数ユニットのＮ個の基準無線周波数チャネルを用いることにより送信される信号を受信する。
【００９２】
第１の無線周波数ユニットが、Ｎ個の検出対象無線周波数チャネルのうちの各々を用いることにより、基準無線周波数ユニットのＮ個の基準無線周波数チャネルを用いることにより送信される第２の測定信号を受信する。第１の無線周波数ユニットのＮ個の検出対象無線周波数チャネルの数は、Ｎ個の基準無線周波数チャネルの数と同じである。例えば、第１の無線周波数ユニットの検出対象無線周波数チャネルの数が４である、すなわち、Ｎが４である場合、基準無線周波数チャネルの数も４である、すなわち、Ｎも４である。
【００９３】
例えば、Ｎ個の基準無線周波数チャネルを用いることにより送信される第２の測定信号を受信するために、第１の無線遠隔ユニットの全ての検出対象無線周波数チャネルが用いられる。第２の測定信号が同時に送信されるので、強い信号強度を有する１つの第２の測定信号と、弱い信号強度を有するいくつかの第２の測定信号とが、各検出対象無線周波数チャネル上で同時に受信され、異なる信号特徴に基づいて、異なる基準無線周波数チャネルを用いることにより送信される第２の測定信号が区別される。例えば、それぞれ１から４という番号が付された４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。全ての基準無線周波数チャネルにより送信される第２の測定信号の特徴が異なるので、基準無線周波数チャネル１を用いることにより送信される第２の測定信号が、特徴信号１と称される。同様に、基準無線周波数チャネル２を用いることにより送信される第２の測定信号が特徴信号２と称され、基準無線周波数チャネル３を用いることにより送信される第２の測定信号が特徴信号３と称され、基準無線周波数チャネル４を用いることにより送信される第２の測定信号が特徴信号４と称される。第２の測定信号の空間放射などの特徴に起因して、無線周波数チャネル間には干渉が発生する。具体的には、検出対象無線周波数チャネル１に接続された基準無線周波数チャネル１を用いることにより送信される特徴信号１の受信に加え、他の基準無線周波数チャネルを用いることにより送信される他の特徴信号（特徴信号２、特徴信号３および特徴信号４）を受信するために、第１の無線遠隔ユニットの検出対象無線周波数チャネル１がさらに用いられる。例えば、基準無線周波数チャネル１を用いることにより送信される特徴信号１については、検出対象無線周波数チャネル１が基準無線周波数チャネル１に接続される場合、検出対象無線周波数チャネル１は、特徴信号１および別の特徴信号を受信し、別の特徴信号の信号強度は、特徴信号１の信号強度よりも弱い。別の例では、基準無線周波数チャネル１を用いることにより送信される特徴信号１については、検出対象無線周波数チャネル２が基準無線周波数チャネル１に接続される場合、検出対象無線周波数チャネル２は、特徴信号１および別の特徴信号を受信するために用いられ、別の特徴信号の信号強度は、特徴信号１の信号強度よりも弱い。
【００９４】
例えば、第１の無線周波数ユニットは、第１の無線遠隔ユニットであり、基準無線周波数ユニットは、ＡＡＵのアクティブ無線周波数ユニット（ＲＵ）であり、アクティブ無線周波数ユニットのＮ個の基準無線周波数チャネルを用いることにより送信される第２の測定信号を同時に受信するために、第１の無線遠隔ユニットのＮ個の検出対象無線周波数チャネルが用いられる。Ｎ個の基準無線周波数チャネルを用いることにより同時に送信される第２の測定信号の特徴は異なる。異なる特徴を有する複数の第２の測定信号を受信するために、Ｎ個の検出対象無線周波数チャネルのうちのいずれか１つ、すなわち、ターゲット検出対象無線周波数チャネルが用いられ、第２の測定信号の強度は、完全に同じではない。最も強い信号強度を有する受信された信号が、当該検出対象無線周波数チャネルに対応するターゲット特徴信号と判断され、ターゲット特徴信号を送信する基準無線周波数チャネルが、ターゲット検出対象無線周波数チャネルに接続された基準無線周波数チャネルと判断される。
【００９５】
９０３．各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断する。
【００９６】
第１の無線周波数ユニットは、各検出対象無線周波数チャネルを用いることにより受信される第２の測定信号に基づいて、Ｎ個の検出対象無線周波数チャネルのうちの少なくとも１つとＮ個の基準無線周波数チャネルのうちの少なくとも１つとの間の接続関係を判断する。
【００９７】
具体的には、第１の無線遠隔ユニットが４つの検出対象無線周波数チャネルを含む場合、第１の無線遠隔ユニットの４つの検出対象無線周波数チャネルを用いることにより第２の測定信号が受信された後に、第１の無線遠隔ユニットは、４つの検出対象無線周波数チャネルを用いることにより受信される第２の測定信号の信号強度に基づいて、受信される信号が最も強い強度を有する検出対象無線周波数チャネルが、最も強い信号強度を有する測定信号が送信される基準無線周波数チャネルに接続されていると判断する。
【００９８】
例えば、４つの基準無線周波数チャネルおよび４つの検出対象無線周波数チャネルが存在する。それぞれ１から４という番号が付された４つの基準無線周波数チャネルが存在する場合、第１の無線遠隔ユニットの、パッシブポートに接続された４つの検出対象無線周波数チャネルも存在し、４つの検出対象無線周波数チャネルにもそれぞれ、１から４という番号が付される。全ての基準無線周波数チャネルにより送信される第２の測定信号の特徴が異なるので、基準無線周波数チャネル１を用いることにより送信される第２の測定信号が、特徴信号１と称される。同様に、基準無線周波数チャネル２を用いることにより送信される第２の測定信号が特徴信号２と称され、基準無線周波数チャネル３を用いることにより送信される第２の測定信号が特徴信号３と称され、基準無線周波数チャネル４を用いることにより送信される第２の測定信号が特徴信号４と称される。第２の測定信号の空間放射などの特徴に起因して、無線周波数チャネル間には干渉が発生する。具体的には、検出対象無線周波数チャネル１に接続された基準無線周波数チャネル１を用いることにより送信される特徴信号１の受信に加え、他の基準無線周波数チャネル（干渉経路）を用いることにより送信される他の特徴信号（特徴信号２、特徴信号３および特徴信号４）を受信するために、第１の無線遠隔ユニットの検出対象無線周波数チャネル１がさらに用いられる。例えば、図１０に示されるように、基準無線周波数チャネル１を用いることにより送信される特徴信号１については、検出対象無線周波数チャネル１が基準無線周波数チャネル１に接続される場合、検出対象無線周波数チャネル２は、基準無線周波数チャネル２に接続され、検出対象無線周波数チャネル３は、基準無線周波数チャネル３に接続され、検出対象無線周波数チャネル４は、基準無線周波数チャネル４に接続され、検出対象無線周波数チャネル１は、最も強い信号強度を有する特徴信号１および他の特徴信号（干渉信号）を受信するために用いられ、検出対象無線周波数チャネル２は、最も強い信号強度を有する特徴信号２および他の特徴信号（干渉信号）を受信するために用いられ、検出対象無線周波数チャネル３は、最も強い信号強度を有する特徴信号３および他の特徴信号（干渉信号）を受信するために用いられ、検出対象無線周波数チャネル４は、最も強い信号強度を有する特徴信号４および他の特徴信号（干渉信号）を受信するために用いられ、検出対象無線周波数チャネル１上で受信される干渉信号の信号強度は、検出対象無線周波数チャネル１上で受信される特徴信号１の信号強度よりも弱い。別の例では、基準無線周波数チャネル１を用いることにより送信される特徴信号１については、検出対象無線周波数チャネル２は、基準無線周波数チャネル１に接続され、検出対象無線周波数チャネル１は、基準無線周波数チャネル２に接続され、検出対象無線周波数チャネル３は、基準無線周波数チャネル３に接続され、検出対象無線周波数チャネル４は、基準無線周波数チャネル４に接続される。この場合、図１１に示されるように、検出対象無線周波数チャネル２は、最も強い信号強度を有する特徴信号１および他の特徴信号（干渉信号）を受信し、検出対象無線周波数チャネル１は、最も強い信号強度を有する特徴信号２および他の特徴信号（干渉信号）を受信し、検出対象無線周波数チャネル３は、最も強い信号強度を有する特徴信号３および他の特徴信号（干渉信号）を受信し、検出対象無線周波数チャネル４は、最も強い信号強度を有する特徴信号４および他の特徴信号（干渉信号）を受信し、検出対象無線周波数チャネル２上で受信される干渉信号の信号強度は、検出対象無線周波数チャネル２上の特徴信号１の信号強度よりも弱い。
【００９９】
図１０に示される特徴信号１の受信に加え、検出対象無線周波数チャネル１は、他の特徴信号（特徴信号２、特徴信号３および特徴信号４）を受信するためにさらに用いられることに留意されたい。ここでは、特定のプロセスを再度説明しない。
【０１００】
９０４．Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【０１０１】
第１の無線周波数ユニットは、Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する。
【０１０２】
例えば、４つの基準無線周波数チャネルおよび４つの検出対象無線周波数チャネルが存在する。第１の無線周波数ユニットの各検出対象無線周波数チャネルに接続された基準無線周波数チャネルにより送信され、検出対象無線周波数チャネルを用いることにより受信される第２の測定信号と、第１の無線周波数ユニットの検出対象無線周波数チャネルに接続されていない他の基準無線周波数チャネルを用いることにより送信され、検出対象無線周波数チャネルを用いることにより受信される複数の第２の測定信号とは、具体的には、１つの特徴信号および他の特徴信号（干渉信号）、例えば、特徴信号１および他の特徴信号（特徴信号２、特徴信号３および特徴信号４）を含む。特徴信号１の信号強度が最も強く、特徴信号１を送信するために用いられる基準無線周波数チャネル１は、ターゲット基準無線周波数チャネルである。４つの検出対象無線周波数チャネルのうちの１つとターゲット基準無線周波数チャネルとの間の接続関係が判断される。例えば、基準無線周波数チャネル１は、特徴信号１を送信するために用いられ、検出対象無線周波数チャネル１を用いることにより受信される第２の測定信号のうち特徴信号１の信号強度が最も強い場合、検出対象無線周波数チャネル１は、基準無線周波数チャネル１に接続された検出対象無線周波数チャネルと判断される。検出対象無線周波数チャネル１は、基準無線周波数チャネル１に接続されたアンテナに接続される。
【０１０３】
例えば、４つの基準無線周波数チャネルおよび４つの検出対象無線周波数チャネルが存在する。第１の無線遠隔ユニットが４つの検出対象無線周波数チャネルを含む場合、４つの基準無線周波数チャネルは、第２の測定信号を同時に送信するために用いられ、第２の測定信号は、合計で１回送信される。検出対象無線周波数チャネルと基準無線周波数チャネルとの間で判断される接続関係に基づいて、４つの検出対象無線周波数チャネルと４つの基準無線周波数チャネルとの間の接続関係が判断される。１つの検出対象無線周波数チャネルが１つの基準無線周波数チャネルに接続され、１つの基準無線周波数チャネルが１つのアンテナに接続されるので、４つの検出対象無線周波数チャネルと４つのアンテナとの間の接続関係が判断され得る。
【０１０４】
実現可能な実装において、Ｎ個の検出対象無線周波数チャネルがベースバンドユニット（ｂａｓｅｂａｎｄ  ｕｎｉｔ、ＢＢＵ）に接続され、Ｎ個の検出対象無線周波数チャネルとＮ個のアンテナとの間の接続関係を特に判断する動作が、ＢＢＵにより実行される。例えば、段階９０３および段階９０４は、第１の無線周波数ユニットに実装されてもよく、ＢＢＵに実装されてもよい。
【０１０５】
特定の判断動作がＢＢＵにより実行される場合、段階９０２と段階９０３との間に、受信された第２の測定信号を第１の無線周波数ユニットがＢＢＵへ送信する段階がさらに含まれることが理解され得る。このことは、本明細書において具体的に限定されない。
【０１０６】
任意選択で：９０５．Ｎ個の検出対象無線周波数チャネルとＮ個のアンテナとの間の実際の接続関係が予め設定された接続関係と同じであるかどうかを判断する。
【０１０７】
第１の無線周波数ユニット、または第１の無線周波数ユニットに接続されたＢＢＵは、Ｎ個の検出対象無線周波数チャネルとＮ個のアンテナとの間の実際の接続関係が予め設定された接続関係と同じであるかどうかを判断する。具体的には、第１の無線周波数ユニット、または第１の無線周波数ユニットに接続されたＢＢＵは、当該検出対象無線周波数チャネルと、当該検出対象無線周波数チャネルに対応する基準無線周波数チャネルとの間の実際の接続関係を、予め設定された接続関係（すなわち、当該検出対象無線周波数チャネルと当該基準無線周波数チャネルとの間の予め設定された正しい対応関係）と比較する。実際の接続関係が予め設定された接続関係とは異なる場合、段階９０６が実行される。実際の接続関係が予め設定された接続関係と同じである場合、段階９０７が実行される。
【０１０８】
任意選択で：９０６．基準無線周波数ユニットと第１の無線周波数ユニットとの間の接続関係が間違っていると判断し、プロンプトを提供する。
【０１０９】
第１の無線周波数ユニット、または第１の無線周波数ユニットに接続されたＢＢＵは、基準無線周波数ユニットと第１の無線周波数ユニットとの間の接続関係が間違っていると判断し、プロンプトを提供する。
【０１１０】
任意選択で：９０７．基準無線周波数ユニットと第１の無線周波数ユニットとの間の接続関係が正しいと判断する。
【０１１１】
第１の無線周波数ユニット、または第１の無線周波数ユニットに接続されたＢＢＵは、基準無線周波数ユニットと第１の無線周波数ユニットとの間の接続関係が正しいと判断する。
【０１１２】
本願の本実施形態において、基準無線周波数ユニットが第１の無線周波数ユニットに接続される場合、基準無線周波数ユニットは、第２の測定信号を同時に送信し、第１の無線周波数ユニットが第２の測定信号を受信するプロセスにおいて、第１の無線周波数ユニットと基準無線周波数ユニットのアンテナとの間のケーブル接続関係が正しいかどうかが、調節に際してスタッフを支援するために検出される。これにより、現場での二次的な構築の難しさが低減し、構築効率が改善する。
【０１１３】
上記では、本願の実施形態における無線周波数チャネル接続検出方法を説明した。以下では、本願の実施形態における無線周波数チャネル接続検出装置を説明する。図１２は、本願の実施形態における無線周波数チャネル接続検出装置を示す。
【０１１４】
図１２は、本願の実施形態による無線周波数チャネル接続検出装置の概略構造ブロック図である。図１２を参照すると、無線周波数チャネル接続検出装置は、第１の無線周波数ユニットおよびプロセッサを含む。統合ユニットが用いられる場合、図１２は、前述の実施形態における無線周波数チャネル接続検出装置の可能な概略構造図である。当業者であれば、図１２に示される第１の無線周波数ユニットの構造は、第１の無線周波数ユニットに対する限定を構成しないこと、および、第１の無線周波数ユニットは、この図に示されるものよりも多いかまたは少ないコンポーネントを含み得るか、または、いくつかのコンポーネントを組み合わせ得るか、または、異なるコンポーネント配置を有し得ることを理解し得る。
【０１１５】
図１２を参照すると、無線周波数チャネル接続検出装置１２００は、第１の無線周波数ユニット１２０１およびプロセッサ１２０２を含み、第１の無線周波数ユニット１２０１は、Ｎ個の検出対象無線周波数チャネルを含む。Ｎ個の検出対象無線周波数チャネルのうちのいずれか１つと、Ｎ個の基準無線周波数チャネルのうちの１つとが、コンバイナ装置を用いることによりＮ個のアンテナのうちの１つに接続される。検出対象無線周波数チャネルは、異なる基準無線周波数チャネルおよび異なるアンテナに接続され、Ｎは、２よりも大きいかまたはそれに等しい整数である。
【０１１６】
Ｎ個の検出対象無線周波数チャネルのうちの各々は、Ｎ個の基準無線周波数チャネルのうちの少なくとも１つを用いることにより送信される信号を受信するように構成される。
【０１１７】
無線周波数チャネル接続検出装置は、プロセッサ１２０２をさらに含む。プロセッサ１２０２は、Ｎ個の検出対象無線周波数チャネルに接続され、各検出対象無線周波数チャネルを用いることにより受信される信号に基づいて、Ｎ個の検出対象無線周波数チャネルとＮ個のアンテナとの間の接続関係を判断するように構成される。
【０１１８】
本実施形態において、コンバイナ装置は、コンバイナであってよく、第１の無線周波数ユニットは、無線遠隔ユニットであってよく、プロセッサ１２０２は、無線遠隔ユニット（ＲＲＵ）内に配置されてよく、またはＲＲＵの外側に配置され、独立して存在してよいことに留意されたい。
【０１１９】
以下では、図１３を参照して、無線周波数チャネル接続検出装置の各コンポーネントを詳細に説明する。
【０１２０】
実現可能な実装において、プロセッサ１２０２はさらに、
各検出対象無線周波数チャネルを用いることにより受信される信号に基づいて、Ｎ個の検出対象無線周波数チャネルのうちの少なくとも１つとＮ個の基準無線周波数チャネルのうちの少なくとも１つとの間の接続関係を判断し、
Ｎ個の検出対象無線周波数チャネルのうちの少なくとも１つとＮ個の基準無線周波数チャネルのうちの少なくとも１つとの間の接続関係に基づいて、Ｎ個の検出対象無線周波数チャネルとＮ個のアンテナとの間の接続関係を判断する
ように構成される。
【０１２１】
実現可能な実装において、Ｎ個の基準無線周波数チャネルは、信号を順次送信するように構成される。
【０１２２】
Ｎ個の検出対象無線周波数チャネルのうちの各々はさらに、Ｎ個の基準無線周波数チャネルを用いることにより送信される信号を順次受信するように構成される。
【０１２３】
実現可能な実装において、プロセッサ１２０２は、具体的には、
基準無線周波数チャネルを用いることにより送信され、各検出対象無線周波数チャネルを用いることにより受信される信号の信号強度に基づいて、Ｎ個の検出対象無線周波数チャネルのうちの１つとＮ個の基準無線周波数チャネルのうちの１つとの間の接続関係を判断するように構成され、受信される信号が最も強い信号強度を有する検出対象無線周波数チャネルが、基準無線周波数チャネルに接続され、検出対象無線周波数チャネルは、基準無線周波数チャネルに接続されたアンテナに接続される。
【０１２４】
実現可能な実装において、図１３を参照すると、無線周波数チャネル接続検出装置１２００は、基準無線周波数ユニット１２０３をさらに含み、基準無線周波数ユニット１２０３は、Ｎ個の基準無線周波数チャネルを含む。
【０１２５】
Ｎ個の基準無線周波数チャネルは、信号を同時に送信するように構成され、Ｎ個の基準無線周波数チャネルのうちのいずれか１つを用いることにより送信される信号の特徴は、Ｎ個の基準無線周波数チャネルのうちの別の１つを用いることにより送信される信号の特徴とは異なる。
【０１２６】
Ｎ個の検出対象無線周波数チャネルのうちの各々は、Ｎ個の基準無線周波数チャネルを用いることにより同時に送信される信号を受信するために用いられる。
【０１２７】
実現可能な実装において、プロセッサ１２０２は、具体的には、
各検出対象無線周波数チャネルを用いることにより受信される信号のうち同じ特徴を有する信号の信号強度に基づいて、Ｎ個の検出対象無線周波数チャネルのうちの１つとＮ個の基準無線周波数チャネルのうちの１つとの間の接続関係を判断するように構成され、
検出対象無線周波数チャネルであって、検出対象無線周波数チャネルを用いることにより、同じ特徴を有する信号のうち最も強い信号強度を有する信号が受信される、検出対象無線周波数チャネルが、基準無線周波数チャネルに接続され、検出対象無線周波数チャネルは、基準無線周波数チャネルに接続されたアンテナに接続される。
【０１２８】
実現可能な実装において、図１４に示されるように、無線周波数チャネル接続検出装置１２００は、ベースバンドユニット（ＢＢＵ）１２０４をさらに含み、ベースバンドユニット１２０４は、プロセッサ１２０２を含む。任意選択で、図１５に示されるように、ベースバンドユニットは、メモリ１２０４１および通信インタフェース１２０４２をさらに含み得る。ベースバンドユニット１２０４は、通信インタフェースを用いることによりＮ個の検出対象無線周波数チャネルに接続される。
【０１２９】
メモリ１２０４１は、プロセッサ１２０２に結合され、プロセッサ１２０２により実行されるプログラムおよび／または命令を格納するように構成される。
【０１３０】
通信インタフェース１２０４２は、各検出対象無線周波数チャネルにより送信される信号を受信するように構成される。
【０１３１】
各検出対象無線周波数チャネルはさらに、受信された信号をベースバンドユニット１２０４へ送信するように構成される。
【０１３２】
プロセッサ１２０２はさらに、ＢＢＵの別の機能をサポートするように構成され得ることに留意されたい。ＢＢＵは、ベースバンドユニットの他の機能をサポートするように構成されたより多くの他のプロセッサをさらに含み得る。
【０１３３】
実現可能な実装において、第１の無線周波数ユニット１２０１は、パッシブ無線周波数ユニットである。
【０１３４】
実現可能な実装において、基準無線周波数ユニット１２０３は、アクティブ無線周波数ユニットまたはパッシブ無線周波数ユニットである。
【０１３５】
実現可能な実装において、基準無線周波数ユニット１２０３および第１の無線周波数ユニット１２０１は、同じベースバンドユニット１２０４に接続される。
【０１３６】
任意選択で、図１５に示されるように、ベースバンドユニット１２０４は、バスシステム１２０４３をさらに含み得る。プロセッサ１２０２、メモリ１２０４１および通信インタフェース１２０４２は、バスシステム１２０４３を用いることにより互いに接続され得る。バスシステム１２０４３は、周辺コンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バス等であってよい。バス１２０４３は、アドレスバス、データバス、制御バス等に分類され得る。表現しやすくするために、図１５ではバスを表すのに１本の太線のみが用いられているが、このことは、１つのバスのみまたは１つのタイプのバスのみが存在することを意味しない。
【０１３７】
任意選択で、無線周波数チャネル接続検出装置１２００は、バスシステム、メモリ、通信インタフェース等をさらに含み得る。詳細は、ベースバンドユニットのものと同様であり、ここでは再度説明しない。
【０１３８】
コンピュータプログラム製品は、１または複数のコンピュータ命令を含む。コンピュータプログラム命令がロードされ、コンピュータ上で実行された場合、本願の実施形態による手順または機能が全てまたは部分的に生成される。コンピュータは、汎用コンピュータ、専用コンピュータ、コンピュータネットワークまたは他のプログラム可能な装置であってよい。コンピュータ命令は、コンピュータ可読記憶媒体に格納されてもよく、コンピュータ可読記憶媒体から別のコンピュータ可読記憶媒体へ伝送されてもよい。例えば、コンピュータ命令は、あるウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（ｄｉｇｉｔａｌ  ｓｕｂｓｃｒｉｂｅｒ  ｌｉｎｅ、ＤＳＬ））または無線（例えば、赤外線、電波またはマイクロ波）方式で伝送されてよい。コンピュータ可読記憶媒体は、コンピュータがアクセス可能な任意の使用可能な媒体であってもよく、１または複数の使用可能な媒体を統合したサーバまたはデータセンタなどのデータ記憶デバイスであってもよい。使用可能な媒体は、磁気媒体（例えば、フロッピーディスク、ハードディスク、または磁気テープ）、光媒体（例えば、ＤＶＤ）、または半導体媒体（例えば、ソリッドステートドライブ（ｓｏｌｉｄ  ｓｔａｔｅ  ｄｉｓｋ、ＳＳＤ））等であってよい。
【０１３９】
統合ユニットがソフトウェア機能ユニットの形態で実装され、独立した製品として販売または使用される場合、統合ユニットは、コンピュータ可読記憶媒体に格納されてよい。そのような理解に基づいて、本願の技術的解決手段は本質的に、または、従来技術に寄与する部分、または技術的解決手段の全部もしくは一部が、ソフトウェア製品の形態で実装されてよい。ソフトウェア製品は、記憶媒体に記憶され、本願の実施形態において説明される方法の段階の全部または一部を実行するよう、（パーソナルコンピュータ、サーバまたはネットワークデバイスであってよい）コンピュータデバイスに命令するためのいくつかの命令を含む。前述の記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスクまたは光ディスクなど、プログラムコードを格納できるあらゆる媒体を含む。
【国際調査報告】
2021508969.tif 000018
2021508969.tif 000019
2021508969.tif 000020
2021508969.tif 000021